(57)【要約】【課題】電源配線に一般負荷電流が流れている場合でも、信号電流を容易に検出する。【解決手段】受信器６０の点検信号検出部７０は、１Ｈｚ毎の信号電流の波形パターンを検出する度に、検出した１Ｈｚの信号電流の電流値を基準にして閾値を新たな値の閾値に変更し、次の１Ｈｚの信号電流の電流値と新たな値に変更された閾値とを比較することによって、次の１Ｈｚの信号電流を検出する。【選択図】図１
2010002243.tif 000002
【特許請求の範囲】
【請求項１】
発信器と受信器とを備え、建物に張り巡らされた電源配線の経路を点検するための配線経路点検システムにおいて、
前記発信器は、
（１）Ｍ桁（但し、Ｍは整数）の文字で表される任意のコードを入力できる入力部と、
（２）前記コードの入力に応答して前記電源配線に出力されるＭ個のそれぞれの文字の文字信号からなる点検信号であって、
前記文字信号が、
（ａ）各ビット区間が商用周波数の一周期分の区間に割り当てられているＮビット（但し、Ｎは整数）区間からなっていて、
（ｂ）該Ｎビット区間中の、前記文字に対応したＮより少数のＱ個（但し、Ｑは整数）のビット区間のそれぞれに順次に一周期分流されて、それぞれの電流の波形パターンの出現パターンを生じさせる当該Ｑ個の単位電流を含む信号電流として形成されている、
当該点検信号を生成する点検信号生成部とを備えており、
前記受信器は、
（１）前記コードを含む所要な情報を表示するディスプレイと、
（２）点検信号検出部とを備え、
該点検信号検出部は、一般負荷電流が流れている前記電源配線に接続された状態にあるとき、
（ａ）当該電源配線を流れる電流を検出電流として検出し、
（ｂ）検出された当該検出電流に対して、
（ｉ）当該検出電流の電流値と（ｉｉ）該検出電流が前記一般負荷電流及び前記単位電流の合成電流であるか否かを判定するために定められた閾値との比較を行って、前記単位電流の波形パターンを検出し、
（ｃ）順次に検出されたＱ個の波形パターンの出現パターンから、該出現パターンに対応する文字の文字信号を特定する動作を、前記Ｍ個の文字の文字信号の特定を終えるまで行って、前記点検信号を検出し、
（ｄ）（ｉ）該点検信号から前記Ｍ桁の文字の前記コードを取得し、及び（ｉｉ）取得された前記コードを前記ディスプレイに表示させ、及び
（ｅ）前記単位電流の波形パターンの検出毎に、前記一般負荷電流の変動に起因する波形パターンの検出障害の発生を回避するために、検出された前記検出電流の電流値を基準にして前記閾値を新たな閾値に変更する
ことを特徴とする配線経路点検システム。
【請求項２】
請求項１に記載の配線経路点検システムにおいて、
（１）前記点検信号生成部は、先行文字のＮビット区間から所定数のビット区間からなる離間区間だけ空けて次の文字のＮビット区間を開始させ、及び
（２）前記点検信号検出部は、
（ａ）前記閾値の変更を、前記離間区間の検出電流の電流値を基準にして行い、及び
（ｂ）前記次の文字の単位電流の前記波形パターンの検出を、前記離間区間に続く次の文字のビット区間の検出電流の電流値と前記新たな閾値とを比較して行う
ことを特徴とする配線経路点検システム。
【請求項３】
請求項１または２に記載の配線経路点検システムにおいて、
（１）前記文字を「０〜９」の数字の任意の１つによって構成してあり、
（２）前記信号電流を２進符号で表したとき、前記Ｎビット区間を、前記信号電流の先頭を表しかつ２値の値が「１」のスタートビット区間と、該スタートビット区間に続く、所定の数のビット区間からなる２値の値が「０」の分離ビット区間と、該分離ビット区間に続く、６ビット区間の、前記数字のいずれかに対応するビット列を表す数字ビット区間とを以って構成してある
ことを特徴とする配線経路点検システム。
【請求項４】
請求項３に記載の配線経路点検システムにおいて、
前記Ｎビット区間は、さらに、前記スタートビット区間と前記分離ビット区間との間に、所定の数のビット区間の、運用に応じて予備的に使用される予備ビット区間を含む
ことを特徴とする配線経路点検システム。
【請求項５】
請求項４に記載の配線経路点検システムにおいて、
前記Ｎビット区間は、第１ビット目の前記スタートビット区間と、第２ビット目の１つの前記予備ビット区間と、第３ビット目の１つの前記分離ビット区間と、第４〜第９ビット目の前記数字ビット区間からなる９ビット区間とする
ことを特徴とする配線経路点検システム。
【請求項６】
請求項１または２に記載の配線経路点検システムにおいて、
前記点検信号生成部は、前記コードのＭ桁の文字を構成する文字数が所定のＭ個の文字数に満たない場合に、不足している文字が「未入力」であることを意味する記号に対応付けられた文字信号を不足文字数分だけ形成して出力する
ことを特徴とする配線経路点検システム。
【請求項７】
請求項１または２に記載の配線経路点検システムにおいて、
前記点検信号生成部は、前記コードの取得回数と取得した該コードとを対応付けて格納する格納部を有していて、該格納部から読み出された取得回数とこれに対応付けられたコードとを前記ディスプレイに表示させる
ことを特徴とする配線経路点検システム。
【発明の詳細な説明】
【技術分野】
【０００１】
この発明は、主に、集合住宅等の建物に張り巡らされた電源配線の経路を点検するための配線経路点検システムに関する。
【背景技術】
【０００２】
集合住宅等の建物は、各住居における電力の使用量を計測するための電力量計が１箇所に集中して設置されている場合が多い。このような集合住宅等の建物では、電源配線が誤って配線されると、例えば、電力量計が使用された電力量と異なる値を計測したり、電力量計が対応する住居の電力量と他の住居の電力量とを取り違えて計測したり、または、電力量計がある住居の電力量と他の住居の電力量とを重複して計測したりする。これにより、電力の使用料金の誤った課金が発生する。
【０００３】
そのため、集合住宅等の建物の施工者や電力の供給者等は、このような誤った課金が発生しないように、建物に張り巡らされた電源配線の経路を点検、すなわち、点検対象の電源配線がいずれの住居に配線された電源配線であり、誤りなく配線されているか否かを点検している。この点検では、様々な手法が用いられているが、近年では、点検の簡易化を図るために、以下のようなシステム（以下、「配線経路点検システム」と称する）を用いた方法が開発されており、この配線経路点検システムを用いた方法が試用されている（例えば、非特許文献１参照）。
【０００４】
＜配線経路点検システムの詳細＞
非特許文献１に開示されている配線経路点検システムは、計測器結線・配線点検装置であり、以下、「電源配線の誤った配線例」、「配線経路点検システムの構成」、「配線経路点検システムの第１の使用例」、及び「配線経路点検システムの第２の使用例」の順番で、その詳細につき説明する。
【０００５】
（電源配線の誤った配線例）
以下、図１２（Ａ）及び（Ｂ）、並びに、図１３を参照して、電源配線の誤った配線例につき説明する。図１２（Ａ）及び（Ｂ）は、それぞれ、結線誤りを説明するための図である。図１２（Ａ）は、各住居の電力量計Ｗｈに対して、電源配線Ｗｉが正しく配線された状態を示しており、また、図１２（Ｂ）は、各住居の電力量計Ｗｈに対して、電源配線Ｗｉが誤って配線された状態を示している。
【０００６】
電力量計Ｗｈは、電源側の接続端子として１Ｓ、２Ｓ、３Ｓが設けられており、また、負荷側の接続端子として１Ｌ、２Ｌ、３Ｌが設けられている。結線誤りが無い場合に、図１２（Ａ）に示すように、電源側の接続端子１Ｓ、２Ｓ、３Ｓは、それぞれ、電源側のＡ線、Ｃ線、及びＢ線となる電源配線Ｗｉに接続され、また、負荷側の接続端子１Ｌ、２Ｌ、３Ｌは、それぞれ、負荷側のＡ線、Ｃ線、及びＢ線となる電源配線Ｗｉに接続される。しかしながら、結線誤りが有る場合に、図１２（Ｂ）に示すように、電源側のＡ線、Ｃ線、及びＢ線に接続されるべき接続端子１Ｓ、２Ｓ、３Ｓが、それぞれ、負荷側のＡ線、Ｃ線、及びＢ線となる電源配線Ｗｉに接続され、また、負荷側のＡ線、Ｃ線、及びＢ線に接続されるべき接続端子１Ｌ、２Ｌ、３Ｌが、それぞれ、電源側のＡ線、Ｃ線、及びＢ線となる電源配線Ｗｉに接続される。なお、ここでは、電気方式が１００／２００ボルト（以下、「Ｖ」と称する）型単相３線式の場合を例にして説明している。この電源の電力供給方式では、Ａ線とＢ線との間の電圧が２００Ｖとなっており、Ａ線とＣ線との間の電圧が１００Ｖとなっており、Ｂ線とＣ線との間の電圧が１００Ｖとなっている。
【０００７】
図１２（Ｂ）に示すように、結線誤りがあると、電力量計Ｗｈは使用された電力量と異なる値を計測する。
【０００８】
図１３は、配線誤りを説明するための図である。図１３は、１０１号室用の電力量計Ｗｈ１０１と１０２号室用の電力量計Ｗｈ１０２と１０３号室用の電力量計Ｗｈ１０３とが１つの集合計器の中に設置されており、その中の電力量計Ｗｈ１０２と電力量計Ｗｈ１０３とが取り違えて配線された状態、すなわち、１０２号室用の電力量計Ｗｈ１０２が１０３号室用の電源配線Ｗｉに接続されかつ１０３号室用の電力量計Ｗｈ１０３が１０２号室用の電源配線Ｗｉに接続された状態を示している。
【０００９】
図１３に示すように、配線誤りがあると、電力量計Ｗｈが対応する住居の電力量と他の住居の電力量とを取り違えて計測する。
【００１０】
（配線経路点検システムの構成）
集合住宅等の建物の施工者や電力の供給者等は、これらのような誤った配線を見つけ出すために、例えば、以下のような配線経路点検システムを用いている。
【００１１】
以下、図１４（Ａ）及び（Ｂ）、図１５、図１６、図１７（Ａ）及び（Ｂ）、並びに、図１８を参照して、配線経路点検システムの構成につき説明する。図１４（Ａ）及び（Ｂ）は、それぞれ、配線経路点検システムの構成を示す図である。図１４（Ａ）は配線経路点検システムに供する発信器の外部構成を示しており、また、図１４（Ｂ）は配線経路点検システムに供する受信器の外部構成を示している。
【００１２】
図１４（Ａ）に示す発信器１０は、周知の通り、操作者によって電源の投入または切断が選択される電源スイッチ１２と、操作者によって任意のコードが入力される入力キー１４と、情報を表示するディスプレイ１６と、電源配線Ｗｉの終端であるコンセントに挿入されることによって電源配線Ｗｉと電気的に接続するプラグＰＬとを備えている。発信器１０は、内部に、ダミー負荷を備えている。ダミー負荷は、トライアック等のスイッチ及びプラグＰＬを介して、電源配線Ｗｉと電気的に接続される。なお、プラグＰＬは、ソケットＳＣ並びに電圧端子クリップｃｌ１及びｃｌ２を備えるケーブルＣＢのソケットＳＣに挿入されることによって、ケーブルＣＢの電圧端子クリップｃｌ１及びｃｌ２を介して、電源配線Ｗｉと電気的に接続することもできる。
【００１３】
この発信器１０は、電源配線Ｗｉと電気的に接続された状態で、操作者によって入力キー１４から複数の文字列からなる任意のコード（例えば、部屋番号）が入力される。このとき、発信器１０は、５０Ｈｚまたは６０Ｈｚの商用周波数すなわち電源周波数電流を、その周波数の一周期分である１Ｈｚに同期して文字に対応する切替パターンで内部のスイッチを断続的に切り替えることによって、ダミー負荷を流れるダミー負荷電流を符号化し、これにより操作者によって入力されたコードの各文字に対応した符号化を行って点検に用いる信号（以下、「点検信号」と称する）として電源配線Ｗｉに出力する。この点検信号は、電源周波数の１Ｈｚを１ビット区間として、文字に対応した数のビット区間の電流の信号として生成されている。したがって、１ビットの区間は、点検信号の電流の一周期分の波形と対応している。図１５及び図１６に、点検信号の電流波形の一例を示す。図１５は、一つの文字（ここでは、文字“７”）を表す点検信号の電流波形パターンの例を示している。この点検信号は、１Ｈｚ分の区間を１ビット区間と見立てて、文字“７”を１ビット区間のスタートビット（Ｓ）区間と８ビット区間の２進数で表現された文字ビット区間との組み合わせで構成している。図１６は、１つのコードの文字列の各桁のそれぞれが文字“７”となっている５桁のコード“７７７７７”を表す点検信号の電流波形パターンの例を示している。図１６に示すＣＨ１は、点検信号“７７７７７”の電流波形パターンを示しており、図１６に示すＣＨ２は、点検信号のビット有無の判定タイミングを示している。なお、図１６に示す矢印よりも下のＣＨ１及びＣＨ２は、矢印よりも上のＣＨ１及びＣＨ２の一文字分を拡大して、さらに正規化した波形を示している。
【００１４】
図１４（Ｂ）に示す受信器６０は、周知の通り、操作者によって電源の投入または切断が選択される電源スイッチ６２と、操作者によって操作される入力キー６４と、情報を表示するディスプレイ６６と、電源配線Ｗｉと電気的に接続する接続端子としての変流器（Ｃｕｒｒｅｎｔ  Ｔｒａｎｓｆｏｒｍｅｒ）ＣＴ１及びＣＴ３並びに電圧端子クリップＣＬ１、ＣＬ２、及びＣＬ３とを備えている。変流器ＣＴ１及びＣＴ３は、大きな電流を小さな電流に（例えば、１００アンペアを５アンペアに）変換して、電源配線Ｗｉに流れている電流を測定する。なお、変流器ＣＴ１及びＣＴ３の構成を、図１７（Ａ）及び（Ｂ）、並びに、図１８に示す。図１７（Ａ）及び（Ｂ）に示すように、変流器ＣＴ１及びＣＴ３は、押しボタンＣＴｐとクランプＣＴｃとを備えている。クランプＣＴｃは、周知の通り、ある透磁率を有する導体で形成されていて、図１７（Ａ）に示すように、操作者が押しボタンＣＴｐを押下することによって開き、また、図１７（Ｂ）に示すように、操作者が押しボタンＣＴｐを放すことによって閉じる。操作者は、クランプＣＴｃの中に電源配線Ｗｉを通した状態で、クランプＣＴｃを閉じる。このようにして、変流器ＣＴ１及びＣＴ３は、それぞれ、電力量計Ｗｈの電源側に接続された電源配線ＷｉのＡ線及びＢ線に接続される。なお、クランプＣＴｃは、図１８に示すように、ワイヤｗｉが巻かれており、中に通された電源配線Ｗｉに電流Ｉ１が流れると、ワイヤｗｉの両端に電圧Ｅ０が発生し、ワイヤｗｉに電流Ｉ２が流れる。また、電圧端子クリップＣＬ１、ＣＬ２、及びＣＬ３は、それぞれ、電力量計Ｗｈの負荷側に接続された電源配線ＷｉのＡ線、Ｂ線、及びＣ線に接続される。なお、発信器１０の操作者と受信器６０の操作者は、同一の人物であってもよいし、異なる人物であってもよい。ここでは、発信器１０の操作者と受信器６０の操作者は、同一の人物であるものとして説明する。
【００１５】
電源配線Ｗｉに接続された受信器６０は、受信待ちの状態になっている。この受信器６０は、電源配線Ｗｉを介して、発信器１０から出力された点検信号が入力される。このとき、受信器６０は、点検信号の電流波形パターンに基づいて、点検信号を、対応するコード（すなわち、操作者によって発信器１０の入力キー１４から入力された複数の文字列からなる任意のコード（例えば、部屋番号））に変換してディスプレイ６６に表示する。
【００１６】
このような発信器１０及び受信器６０を用いた配線経路点検システムは、発信器１０が発信した部屋番号等の任意のコードを含む点検信号を、建物に張り巡らされた電源配線Ｗｉを介して、受信器６０に取得させる。このとき、電源配線Ｗｉの経路に誤りが無ければ、受信器６０は、発信器１０が出力したコードと同じコードをディスプレイ６６に表示することができる。しかしながら、仮に、電源配線Ｗｉの経路に誤りが有れば、受信器６０は、発信器１０が出力したコードと異なるコードをディスプレイ６６に表示することになる。これにより、配線経路点検システムは、誤った配線の有無を検出することができる。
【００１７】
（配線経路点検システムの第１の使用例）
以下、図１９（Ａ）及び（Ｂ）を参照して、非特許文献１に開示された配線経路点検システムの第１の使用例につき説明する。図１９（Ａ）及び（Ｂ）は、それぞれ、結線誤りの有無を判定する場合の使用例を示す図である。図１９（Ａ）は、結線が正しい場合すなわち結線誤りが無い場合の例を示しており、図１９（Ｂ）は、結線が誤っている場合すなわち結線誤りが有る場合の例を示している。
【００１８】
配線経路点検システムを用いて結線誤りの有無を判定する場合に、操作者は、受信器６０及び発信器１０を持って、電力量計Ｗｈの設置場所に行く。なお、建物が集合住宅となっている場合に、各住居の電力量計Ｗｈは１つの集合計器の中に設置されていることが多い。
【００１９】
操作者は、受信器６０の変流器ＣＴ１及びＣＴ３をそれぞれ電源側の電源配線ＷｉのＡ線及びＢ線に接続し、かつ、電圧端子クリップＣＬ１、ＣＬ２、及びＣＬ３をそれぞれ負荷側の電源配線ＷｉのＡ線、Ｂ線、及びＣ線に接続することにより、受信器６０を、電力量計Ｗｈに接続された電源配線Ｗｉに接続する。
【００２０】
次に、操作者は、発信器１０のプラグＰＬをケーブルＣＢのソケットＳＣに挿入した後、ケーブルＣＢの電圧端子クリップｃｌ１及びｃｌ２をそれぞれ負荷側の電源配線ＷｉのＡ線及びＣ線に接続することにより、発信器１０を、電力量計Ｗｈの負荷側に接続された電源配線Ｗｉに接続する。
【００２１】
操作者は、ケーブルＣＢの電圧端子クリップｃｌ１及びｃｌ２をそれぞれ負荷側の電源配線ＷｉのＡ線及びＣ線に接続すると、発信器１０の入力キー１４から複数の文字列からなる任意のコード（例えば、部屋番号）を入力する。発信器１０は、操作者によってコードが入力されると、既に説明したように、これに応答して、点検信号を生成する。発信器１０は、生成した点検信号を、ケーブルＣＢの電圧端子クリップｃｌ１及びｃｌ２を介して負荷側の電源配線ＷｉのＡ線、及びＣ線に、１文字分ずつ順次出力する。
【００２２】
電源配線Ｗｉに接続された受信器６０は、受信待ちの状態になっている。この受信器６０は、電源配線Ｗｉを介して、発信器１０から出力された点検信号が入力される。受信器６０は、点検信号の電流波形パターンに基づいて、点検信号を、対応するコードに変換してディスプレイ６６に表示する。
【００２３】
図１９（Ａ）に示すように、結線が正しい場合すなわち結線誤りが無い場合に、受信器６０は、発信器１０が発信したコードと同じコードをディスプレイ６６に表示する。
【００２４】
他方、図１９（Ｂ）に示すように、結線が誤っている場合すなわち結線誤りが有る場合に、受信器６０は、発信器１０が発信したコードを受信することができない。そのため、ディスプレイ６６には、何も表示されない。
【００２５】
したがって、操作者は、発信器１０が発信したコードと受信器６０のディスプレイ６６に表示されたコードとが一致するか否かを確認することによって、結線誤りの有無を判定することができる。すなわち、操作者は、一致する場合に、結線に誤りが無いと判定し、それ以外の場合、つまり、一致しない場合または受信しない場合に、結線に誤りが有ると判定することができる。
【００２６】
（配線経路点検システムの第２の使用例）
以下、図２０及び図２１を参照して、非特許文献１に開示された配線経路点検システムの第２の使用例につき説明する。図２０及び図２１は、それぞれ、配線誤りの有無を判定する場合の使用例を示す図である。図２０は、発信器１０と電源配線Ｗｉとの接続及び受信器６０と電源配線Ｗｉとの接続の概要を示しており、図２１は、発信器１０と電源配線Ｗｉとの接続及び受信器６０と電源配線Ｗｉとの接続の詳細を示している。
【００２７】
配線経路点検システムを用いて配線誤りの有無を判定する場合に、まず、操作者は、受信器６０を持って、電力量計Ｗｈの設置場所に行く。なお、ここでは、建物が集合住宅となっており、かつ、各住居の電力量計Ｗｈが１つの集合計器の中に設置されているものとして、説明する。
【００２８】
操作者は、受信器６０の変流器ＣＴ１及びＣＴ３をそれぞれ電源側の電源配線ＷｉのＡ線及びＢ線に接続し、かつ、電圧端子クリップＣＬ１、ＣＬ２、及びＣＬ３をそれぞれ負荷側の電源配線ＷｉのＡ線、Ｂ線、及びＣ線に接続することにより、受信器６０を、点検対象の住居に対応している電力量計Ｗｈに接続された電源配線Ｗｉに接続する。なお、電源配線Ｗｉに接続された受信器６０は、受信待ちの状態になっている。
【００２９】
次に、操作者は、発信器１０を持って、点検対象の住居に設置されているコンセントＣＮの設置場所に行く。そして、操作者は、発信器１０のプラグＰＬをコンセントＣＮに挿入することにより、発信器１０を、建物に張り巡らされた電源配線Ｗｉに接続する。なお、コンセントＣＮは、主配線用遮断器及び分岐配線用遮断器が一箇所にまとめて配置された分電盤Ｂを介して、電源配線Ｗｉによって、電力量系Ｗｈの負荷側の端子１Ｌ、２Ｌ、及び３Ｌに接続されている。
【００３０】
その結果、図２０及び図２１に示すように、発信器１０は、プラグＰＬ及びコンセントＣＮを介して、電源配線Ｗｉと電気的に接続され、また、受信器６０は、変流器ＣＴ１及びＣＴ３を介して電力量計Ｗｈの電源側の電源配線ＷｉのＡ線及びＢ線に接続され、かつ、電圧端子クリップＣＬ１、ＣＬ２、及びＣＬ３を介して電力量計Ｗｈの負荷側の電源配線ＷｉのＡ線、Ｂ線、及びＣ線に接続される。
【００３１】
次に、操作者は、発信器１０の入力キー１４から複数の文字列からなる任意のコード（例えば、部屋番号）を入力する。発信器１０は、操作者によってコードが入力されると、既に説明したように、これに応答して、点検信号を生成して、生成した点検信号を、ケーブルＣＢの電圧端子クリップｃｌ１及びｃｌ２を介して負荷側の電源配線ＷｉのＡ線、及びＣ線に、１文字分ずつ順次出力する。
【００３２】
配線誤りが無い場合に、電力量計Ｗｈは対応の住居に正しく接続された状態となっている。受信器６０は、電源配線Ｗｉを介して、発信器１０が出力した点検信号を受信すると、点検信号の電流波形パターンに基づいて、点検信号を、対応するコードに変換し、発信器１０が出力したコードと同じコードをディスプレイ６６に表示する。
【００３３】
他方、配線誤りが有る場合に、電力量計Ｗｈは、対応の住居と異なる住居に接続された状態となっているかまたは複数の住居に接続された状態となっている。この場合に、受信器６０は、発信器１０が出力したコードと異なるコードをディスプレイ６６に表示するかまたは複数の発信器１０が出力したコードを重複してディスプレイ６６に表示する。これにより、操作者は、受信器１０のディスプレイ６６に表示されたコード（例えば、部屋番号）に基づいて、発信器６０がコードを出力した部屋と受信器１０がコードを取得した電源配線Ｗｉとの対応関係を把握することができる。
【００３４】
したがって、操作者は、発信器１０が発信したコードと受信器６０のディスプレイ６６に表示されたコードとが一致するか否かを確認することによって、電源配線の経路を容易に特定することができ、配線誤りの有無を判定することができる。
【００３５】
以上のようにして、集合住宅等の建物の施工者や電力の供給者等は、電源配線の経路を点検している。
【非特許文献１】石崎友行及び脊戸三知郎著「計測器の結線・配線点検装置の開発」（研究年報第３８巻）、北海道電力株式会社、２００７年１０月２２日発行（北海道電力株式会社ホームページhttp://www.hepco.co.jp/corporate/souken/annual_repo/annual_repo.html参照）
【発明の開示】
【発明が解決しようとする課題】
【００３６】
非特許文献１に開示された配線経路点検システム（以下、「従来の配線経路点検システム」と称する）は、電源配線に一般負荷電流が流れていない場合であれば、発信器から出力された点検信号を受信器で容易に検出することができる。なお、「一般負荷電流」とは、一般負荷すなわち各住居に設置された電気製品等の負荷がかかった状態で流れる電流を意味している。
【００３７】
しかしながら、従来の配線経路点検システムの受信器は、一般負荷電流と点検信号の電流とを区分することができない。そのため、従来の配線経路点検システムは、電源配線に一般負荷電流が流れている場合に、発信器から出力された点検信号の電流を受信器で検出することが困難であった。
【００３８】
したがって、従来の配線経路点検システムは、電源配線に一般負荷電流が流れている場合に、集合住宅等の建物における各電力量計と各電力量計に対応する住居との間の配線誤りの有無を点検することができないときがあるという課題があった。
【００３９】
この発明の目的は、電源配線に一般負荷電流が流れている場合であっても、集合住宅等の建物における各電力量計と各電力量計に対応する住居との間の配線誤りの有無を常に点検することができるように、受信器で一般負荷電流の成分のみからなる電流の区間と一般負荷電流及び信号電流の双方の成分からなる合成電流の区間とを容易かつ正確に区分することができる配線経路点検システムを提供することにある。
【課題を解決するための手段】
【００４０】
上述の課題を解決するために、この発明に係る配線経路点検システムの発信器は、
（１）Ｍ桁（但し、Ｍは整数）の文字で表される任意のコードを入力できる入力部と、
（２）以下の構成の点検信号生成部とを備えている。
【００４１】
すなわち、点検信号生成部は、コードの入力に応答して電源配線に出力されるＭ個のそれぞれの文字の文字信号からなる点検信号であって、
文字信号が、
（ａ）各ビット区間が商用周波数の一周期分の区間に割り当てられているＮビット（但し、Ｎは整数）区間からなっていて、
（ｂ）Ｎビット区間中の、文字に対応したＮより少数のＱ個（但し、Ｑは整数）のビット区間のそれぞれに順次に一周期分流されて、それぞれの電流の波形パターンの出現パターンを生じさせるＱ個の単位電流を含む信号電流として形成されている、
点検信号を生成する構成となっている。
【００４２】
また、この発明に係る配線経路点検システムの受信器は、
（１）コードを含む所要な情報を表示するディスプレイと、
（２）以下の構成の点検信号検出部とを備えている。
【００４３】
すなわち、点検信号検出部は、一般負荷電流が流れている電源配線に接続された状態にあるとき、
（ａ）電源配線を流れる電流を検出電流として検出し、
（ｂ）検出された検出電流に対して、
（ｉ）検出電流の電流値と（ｉｉ）検出電流が一般負荷電流及び単位電流の合成電流であるか否かを判定するために定められた閾値との比較を行って、単位電流の波形パターンを検出し、
（ｃ）順次に検出されたＱ個の波形パターンの出現パターンから、出現パターンに対応する文字の文字信号を特定する動作を、Ｍ個の文字の文字信号の特定を終えるまで行って、点検信号を検出し、
（ｄ）（ｉ）点検信号からＭ桁の文字のコードを取得し、及び（ｉｉ）取得されたコードをディスプレイに表示させ、及び
（ｅ）単位電流の波形パターンの検出毎に、一般負荷電流の変動に起因する波形パターンの検出障害の発生を回避するために、検出された検出電流の電流値を基準にして閾値を新たな閾値に変更する構成となっている。
【００４４】
なお、この配線経路点検システムは、好ましくは、
（１）点検信号生成部は、先行文字のＮビット区間から所定数のビット区間からなる離間区間だけ空けて次の文字のＮビット区間を開始させ、及び
（２）点検信号検出部は、
（ａ）閾値の変更を、離間区間の検出電流の電流値を基準にして行い、及び
（ｂ）次の文字の単位電流の波形パターンの検出を、離間区間に続く次の文字のビット区間の検出電流の電流値と新たな閾値とを比較して行う構成にするとよい。
【００４５】
また、この配線経路点検システムは、好ましくは、
（１）文字を「０〜９」の数字の任意の１つによって構成してあり、
（２）信号電流を２進符号で表したとき、Ｎビット区間を、信号電流の先頭を表しかつ２値の値が「１」のスタートビット区間と、スタートビット区間に続く、所定の数のビット区間からなる２値の値が「０」の分離ビット区間と、分離ビット区間に続く、６ビット区間の、上述の数字のいずれかに対応するビット列を表す数字ビット区間とを以って構成してあるとよい。
【００４６】
このような構成にした場合に、より好ましくは、Ｎビット区間は、さらに、スタートビット区間と分離ビット区間との間に、所定の数のビット区間の、運用に応じて予備的に使用される予備ビット区間を含む構成にするとよい。
【００４７】
また、このような構成にした場合に、より好ましくは、Ｎビット区間は、第１ビット目のスタートビット区間と、第２ビット目の１つの予備ビット区間と、第３ビット目の１つの分離ビット区間と、第４〜第９ビット目の数字ビット区間からなる９ビット区間とする構成にするとよい。
【００４８】
また、この配線経路点検システムにおいて、好ましくは、点検信号生成部は、コードのＭ桁の文字を構成する文字数が所定のＭ個の文字数に満たない場合に、不足している文字が「未入力」であることを意味する記号に対応付けられた文字信号を不足文字数分だけ形成して出力する構成するとよい。
【００４９】
また、この配線経路点検システムにおいて、好ましくは、点検信号生成部は、コードの取得回数と取得したコードとを対応付けて格納する格納部を有していて、格納部から読み出された取得回数とこれに対応付けられたコードとをディスプレイに表示させる構成するとよい。
【発明の効果】
【００５０】
この配線経路点検システムによれば、受信器の点検信号検出部が、検出電流の電流値を基準にして、閾値を新たな値の閾値に変更する。これによって、受信器は、電源配線に一般負荷電流が流れている場合であっても、一般負荷電流の成分のみからなる電流の区間と一般負荷電流及び信号電流の双方の成分からなる合成電流の区間とを容易かつ正確に区分することができる。そのため、この配線経路点検システムは、点検信号の受信精度を高めることができ、発信器から出力された点検信号の電流を受信器で容易に検出することができる。その結果、この配線経路点検システムによれば、電源配線に一般負荷電流が流れている場合であっても、良好に、集合住宅等の建物における各電力量計と各電力量計に対応する住居との間の配線誤りの有無を点検することができるという効果を得ることができる。
【００５１】
なお、この配線経路点検システムは、（１）点検信号生成部は、先行文字のＮビット区間から所定数のビット区間からなる離間区間だけ空けて次の文字のＮビット区間を開始させ、及び（２）点検信号検出部は、（ａ）閾値の変更を、離間区間の検出電流の電流値を基準にして行い、及び（ｂ）次の文字の単位電流の波形パターンの検出を、離間区間に続く次の文字のビット区間の検出電流の電流値と新たな閾値とを比較して行う構成にすることにより、受信器が、次の文字の単位電流の波形パターンの検出に適する値に変更された閾値を用いて、次の文字の単位電流の波形パターンを検出する。そのため、この配線経路点検システムは、さらに、点検信号の受信精度を高めることができる。その結果、この配線経路点検システムによれば、さらに、常に安定して、集合住宅等の建物における各電力量計と各電力量計に対応する住居との間の配線誤りの有無を点検することができるという効果を得ることができる。
【００５２】
なお、発信器の点検信号生成部を、（１）文字を「０〜９」の数字の任意の１つによって構成してあり、また（２）信号電流を２進符号で表したとき、Ｎビット区間を、信号電流の先頭を表しかつ２値の値が「１」のスタートビット区間と、スタートビット区間に続く、所定の数のビット区間からなる２値の値が「０」の分離ビット区間と、分離ビット区間に続く、６ビット区間の、上述の数字のいずれかに対応するビット列を表す数字ビット区間とを以って構成することにより、受信器は、検出電流に基づいて変換したコードが「０〜９」の数字以外のコードとなる場合に、検出電流が点検信号でないと判断することができる。そのため、この配線経路点検システムによれば、これによっても、点検信号の受信精度を高めることができる。
【００５３】
また、Ｎビット区間は、さらに、スタートビット区間と分離ビット区間との間に、所定のビット数の、運用に応じて予備的に使用される予備ビット区間を含む構成にすることにより、この配線経路点検システムよれば、「０〜９」の数字以外の予備的なコードを用いることができる。ただし、予備的なコードは、必ず、分離ビット区間を含んでいる必要がある。このような予備的なコードとして、例えば、スタートビット区間に続く２番目のビット区間の値が「０」となる、中点「・」を表すコード等を用いることができる。
【００５４】
また、Ｎビット区間は、第１ビット目のスタートビット区間と、第２ビット目の１つの予備ビット区間と、第３ビット目の１つの分離ビット区間と、第４〜第９ビット目の数字ビット区間からなる９ビット区間とする構成にすることにより、受信器は、検出電流に基づいて変換したコードが「０〜９」の数字及び予備的なコード以外のコードとなる場合に、検出電流が点検信号でないと判断することができる。そのため、この配線経路点検システムによれば、これによっても、点検信号の受信精度を高めることができる。
【００５５】
また、点検信号生成部は、コードのＭ桁の文字を構成する文字数が所定のＭ個の文字数に満たない場合に、不足している文字が「未入力」であることを意味する記号に対応付けられた文字信号を不足文字数分だけ形成して出力する構成にすることにより、発信器は、「未入力」を意味する文字を含む予め定められた桁数のコードを受信器に出力することができる。これにより、この配線経路点検システムによれば、予め定められた桁数のコードを発信器から受信器に正しく伝達することができる。
【００５６】
また、点検信号生成部は、コードの取得回数と取得したコードとを対応付けて格納する格納部を有していて、格納部から読み出された取得回数とこれに対応付けられたコードとをディスプレイに表示させる構成にすることにより、操作者は、ディスプレイに表示された取得回数と各取得回数に対応付けられたコードとを対比しながら確認することができる。このとき、受信器が、点検対象の部屋とは異なる部屋から出力されたコードをディスプレイに表示すれば、電源配線の取り違え配線が生じていることになる。また、このとき、受信器が、点検対象の部屋から出力されたコードをディスプレイとともに、点検対象の部屋とは異なる部屋から出力されたコードをディスプレイに表示すれば、電源配線の重複配線が生じていることになる。そのため、この配線経路点検システムによれば、電源配線の取り違え配線や電源配線の重複配線を容易に検出することができる。
【発明を実施するための最良の形態】
【００５７】
以下、図を参照して、この発明の実施の形態につき説明する。なお、各図は、この発明を理解できる程度に、各構成要素を概略的に示してあるに過ぎない。よって、この発明は、図示例のみに限定されるものではない。また、各図において、共通する構成要素や同様な構成要素については、同一の符号を付し、それらの重複する説明を省略する。また、以下に説明する数値的条件は単なる例示にすぎない。
【００５８】
＜実施の形態の配線経路点検システムの詳細＞
以下、「システムの構成」、「システムの電源配線への取り付けと点検の概略」、「点検信号の詳細」、「合成電流の詳細」、「システムの動作」、及び、「システムの使用例」の順番で、実施の形態の配線経路点検システムの詳細につき説明する。
【００５９】
（システムの構成）
以下、図１を参照して、実施の形態の配線経路点検システムの構成につき説明する。なお、図１は、実施の形態のシステムの構成を示すブロック図である。
【００６０】
このシステムは、発信器１０と受信器６０とを備えている。
【００６１】
発信器１０は、操作者によって任意のコードが入力される入力部例えばテンキー等の入力キー１４と、点検信号を出力する点検信号生成部２０との主要な構成要素の他に、操作者によって電源の投入または切断が選択される電源スイッチ１２と、所要の情報を表示するディスプレイ１６と、電源配線Ｗｉの終端であるコンセントに挿入されることによって電源配線Ｗｉと電気的に接続するプラグＰＬとを備えている。発信器１０は、プラグＰＬが各住居内に設置されたいずれかのコンセントＣＮに差し込まれることによって、電力量計Ｗｈの負荷側の電源配線Ｗｉに接続されて商用電源Ｅから入力された電流を利用して電源配線Ｗｉに点検信号を流すことができる。また、発信器１０は、さらに、発信器１０の各部に電源を供給する直流電源部２６とを備えている。
【００６２】
点検信号生成部２０は、各種の演算を実行する演算部２２、各種のデータを格納する格納部２４、プラグＰＬ及びコンセントＣＮを介して接続された電源配線Ｗｉに擬似的に負荷を与えるダミー負荷Ｒ、プラグＰＬとダミー負荷Ｒとの間の接続を断続的に切断して商用電源（例えば、１００Ｖの交流電源）Ｅからの商用周波数の電流を流したり遮断したりする、トライアック等によって構成されたスイッチＳＷ等を含んでいる。このスイッチＳＷの切断の制御については後述する「点検信号の評価」の章で説明する。
【００６３】
演算部２２は、ＣＰＵによって構成されており、所要のプログラムを読み込むことによって、内部に、各部の動作を制御する主制御部２２ａ、スイッチＳＷの動作を制御してアナログ信号として点検信号を生成するスイッチ回路制御部２２ｂ、ディスプレイの動作を制御するディスプレイ制御部２２ｃ等の機能手段が構築されている。格納部２４は、点検信号を生成する際に参照される各種のデータを格納する参照データ格納部２４ａ、発信器１０の動作履歴等のデータを格納する動作データ格納部２４ｂ、操作者が入力キー１４を操作することによって発信器１０に入力されたコード（例えば、部屋番号）を格納する入力コード格納部２４ｃ等の格納領域が確保されている。これら演算部２２及び格納部２４は、周知の通り、デジタル信号で動作する。
【００６４】
なお、動作データ格納部２４ｂに格納された発信器１０の動作履歴や入力コード格納部２４ｃに格納されたコード等の情報は、例えば、発信器１０が正常に動作しているか否かをチェックする場合や、発信器１０によって出力されたコードと受信器６０によって検出されたコードとを対比して検証する場合等に活用される。例えば、発信器１０は、操作者が入力キー１４を操作すると、これに応答して、ディスプレイ制御部２２ｃが、動作データ格納部２４ｂから発信器１０の動作履歴を読み出したり、または、入力コード格納部２４ｃから発信器１０が過去に出力したコードを読み出して、ディスプレイ１６に表示する。
【００６５】
他方、受信器６０は、操作者によって電源の投入または切断が選択される電源スイッチ６２と、操作者によって任意のコードや指示が入力される入力部例えばテンキー等の入力キー６４と、所要の情報を表示するディスプレイ６６と、電源配線Ｗｉと電気的に接続する接続端子としての変流器（Ｃｕｒｒｅｎｔ  Ｔｒａｎｓｆｏｒｍｅｒ）ＣＴ１及びＣＴ３並びに電圧端子クリップＣＬ１、ＣＬ２、及びＣＬ３とを備えている。受信器６０は、ＣＴ１及びＣＴ３がそれぞれ電力量計Ｗｈの電源側の電源配線ＷｉのＡ線及びＢ線に接続され、電圧端子クリップＣＬ１、ＣＬ２、及びＣＬ３がそれぞれ電力量計Ｗｈの負荷側の接続端子１Ｌ、２Ｌ、及び３Ｌに接続される。なお、電力の供給方式としては、単相３線式以外に、単相２線式や三相３線式等がある。電圧端子クリップＣＬは、電力の供給方式が単相２線式であれば２本必要となり、電力の供給方式が単相３線式または三相３線式であれば３本必要となる。
【００６６】
また、受信器６０は、電源配線Ｗｉを流れる電流をアナログの検出電流として検出し、この検出電流から点検信号を検出する点検信号検出部７０と、受信器６０の各部に電源を供給する直流電源部７６と、外部のコンピュータとの間でデータを入出力する入出力部７８とを備えている。なお、点検信号検出部７０は、各種の演算を実行する演算部７２、各種のデータを格納する格納部７４、変流器ＣＴ１及びＣＴ３並びに電圧端子クリップＣＬ１、ＣＬ２、及びＣＬ３を介して受信器６０に入力される商用電圧の電流を任意の電圧に変圧する変電部ＴＥ等を含んでいる。演算部７２は、ＣＰＵによって構成されており、所要のプログラムを読み込むことによって、内部に、各部の動作を制御する主制御部７２ａ、検出された検出電流が点検信号か否かを判定し、点検信号である場合に、この点検信号が表すコードに変換する判定部７２ｂ、ディスプレイの動作を制御するディスプレイ制御部７２ｃ等の機能手段が構築されている。格納部７４は、受信器６０に電源配線Ｗｉから入力された検出電流から点検信号を検出するとき及び点検信号が表すコードに変換するときに参照される各種のデータを格納する参照データ格納部７４ａ、受信器６０の動作履歴等のデータを格納する動作データ格納部７４ｂ、操作者が入力キー６４を操作することによって受信器６０に入力された指示（例えば、任意の受信回数時に受信されたコードの表示等）を格納する検出コード格納部７４ｃ等の格納領域が確保されている。なお、当然ながら、演算部７２及び格納部７４は、デジタル信号で動作するので、変電部ＴＥで変換されたアナログ信号はＡ／Ｄ変換されて演算部７２や格納部７４に入力される。
【００６７】
（システムの電源配線への取り付けと点検の概略）
以下、図２を参照して、実施の形態のシステムの電源配線への取り付けと点検の概略につき説明する。なお、図２は、実施の形態のシステムの電源配線への取り付け説明図である。
【００６８】
発信器１０は、操作者によってプラグＰＬが建物のコンセントＣＮに挿入されることにより、図２に示すように、建物に張り巡らされた電源配線Ｗｉと電気的に接続された状態となる。
【００６９】
発信器１０の点検信号生成部２０（図１参照）は、この接続状態で、操作者によって入力キー１４から複数のすなわちＭ桁（但し、Ｍは整数）の文字で表される任意のコード（例えば、部屋番号）が入力された場合に、操作者によって入力されたコードを表す点検信号として信号電流を生成して電源配線Ｗｉに出力する。点検信号は、Ｍ桁の各文字をそれぞれ表す一連の文字信号からなっている。各文字信号は、Ｎビット（但し、Ｎは整数）区間からなっている。Ｎビット区間の各ビット区間は、商用周波数例えば５０Ｈｚまたは６０Ｈｚの一周期分の区間である１Ｈｚの区間に割り当てられている。Ｎビット区間中の、Ｎより少数のＱ個（但し、Ｑは整数）のビット区間のそれぞれに順次に単位電流が流される。単位電流が流されるＱ個のビットのビット位置の組み合わせは、文字毎に異なっていて、文字とビット区間の位置の組み合わせとは一対一の関係となっている。単位電流は、１Ｈｚの区間を一周期（一サイクル）として流れる正弦波の電流であって、各ビット区間に流れる単位電流の振幅と波形は同一にしてある。したがって、上述した文字信号は、Ｑ個のビット区間に流れる一連の単位電流を含む信号電流であり、各ビットに順次に流れるそれぞれの単位電流の電流波形の出現パターンが文字毎に異なっている。なお、点検信号の詳細については、「点検信号の詳細」の章で詳述する。
【００７０】
電源配線Ｗｉに出力された点検信号すなわち信号電流は、電源配線Ｗｉに流れる一般負荷電流と合成される。以下、信号電流と一般負荷電流とが合成された電流を、「合成電流」と称する。合成電流の詳細については、「合成電流の詳細」の章で詳述する。
【００７１】
他方、受信器６０は、操作者によって接続端子（具体的には、変流器ＣＴ１及びＣＴ３並びに電圧端子クリップＣＬ１、ＣＬ２、及びＣＬ３）が電力量計Ｗｈの電源側の電源配線Ｗｉと負荷側の電源配線Ｗｉに電気的に接続される。
【００７２】
電源配線Ｗｉに接続された受信器６０は、点検信号を検出するための受信待ちの状態になっており、接続端子を介して電源配線Ｗｉを流れる電流を検出して得られる検出電流が入力される。なお、電源配線Ｗｉから受信器６０に入力される検出電流は、一般負荷電流及び点検信号としての信号電流の双方の成分が重畳してなる電流となっている場合もあれば、当該信号電流の成分を含まない、一般負荷電流の成分のみからなる電流となっている場合もある。以下の説明では、説明の便宜上、電源配線Ｗｉから受信器６０に入力されるどちらかの状態にある電流も、「検出電流」と称する。
【００７３】
受信器６０の点検信号検出部７０（図１参照）は、電源配線Ｗｉから検出電流がＡ／Ｄ変換されて入力されると、これに応答して、検出電流の電流値（後述の「波高値」）を検出する。点検信号検出部７０は、検出電流に対して、いわゆる商用周波数５０Ｈｚまたは６０Ｈｚに設定されている電源周波数の一周期分に対応する１Ｈｚ毎に、検出電流の電流値と検出電流が一般負荷電流及び前記信号電流の双方の成分からなる合成電流であるか否かを判定するために予め定められた閾値（後述の「上限閾値」）とを比較して、検出電流から一般負荷電流及び信号電流の双方の成分からなる合成電流の区間と点検信号の成分を含まない一般負荷電流の成分のみからなる区間とを分離する。これにより、点検信号検出部７０は、１Ｈｚ毎の区間を流れる信号電流の部分すなわち単位電流が存在する場合には、その単位電流の波形パターンを検出する。以下、点検信号検出部７０による１Ｈｚ毎に単位電流の波形パターンを検出する動作を、「単位電流の検出」と称する。この単位電流が検出された１Ｈｚすなわち一周期の区間は、上述の合成電流が流れている区間であり、また、この単位電流が検出されなかった１Ｈｚの区間は、一般負荷電流の成分のみからなる区間として判別される。
【００７４】
点検信号検出部７０は、検出した１Ｈｚ区間毎の単位電流の波形パターンが１文字分に達すると、これに応答して、１文字分の単位電流の波形パターンの出現パターンに対応する文字の文字信号に変換する。点検信号検出部７０は、この文字信号への変換動作を、変換された文字が操作者によって入力された文字数分に達するまで行い点検信号として検出する。これにより、点検信号検出部７０は、この検出された点検信号から、操作者によって発信器１０の入力キー１４から入力されたＭ桁の文字のコードを取得する。そして、点検信号検出部７０は、取得したコードをディスプレイ６６に表示する。
【００７５】
操作者は、受信器６０のディスプレイ６６に表示されたコード（例えば、部屋番号）を確認することによって、電力量計Ｗｈ周辺のどの電源配線Ｗｉがいずれの住居に配線された電源配線Ｗｉであるのかをチェックすることができる。
【００７６】
なお、実施の形態では、点検信号検出部７０は、検出電流の電流値を基準にして、閾値を新たな値の閾値に変更する。そして、点検信号検出部７０は、閾値の変更後に検出された検出電流に対して、検出電流の電流値と新たな値に変更された閾値とを比較する。これにより、受信器６０は、１Ｈｚ区間毎の単位電流の波形パターンの検出精度すなわち点検信号の検出精度を従来よりも向上させている。この点については、「システムの動作」の章で詳述する。
【００７７】
（点検信号の詳細）
以下、図３、並びに、図４（Ａ）及び（Ｂ）を参照して、点検信号の詳細につき説明する。なお、図３は、点検信号の一例を示す図である。また、図４（Ａ）及び（Ｂ）は、それぞれ、文字と単位電流の波形の出現パターンとの対応を示す図である。
【００７８】
点検信号は、発信器１０の内部回路が通電状態または不通電状態となることにより、生成される電流である。点検信号は、発信器１０の内部回路における通電状態と不通電状態の組み合わせパターンを表している。
【００７９】
例えば、図２に示す電気回路において、発信器１０は、内部に、トライアック等によって構成されたスイッチＳＷを備えている。このスイッチＳＷは、ダミー負荷Ｒと１００ボルトの交流電圧電源（図１の電源Ｅに対応する。）とに接続される。スイッチＳＷは、スイッチ回路制御部２２ｂ（図１参照）の制御にしたがって、開閉する。そして、スイッチ回路制御部２２ｂは、５０Ｈｚまたは６０Ｈｚの商用周波数すなわち電源周波数に同期して、すなわち、一般負荷電流の正弦波が０点を通過するときに同期して、切替信号となるアナログ信号をスイッチＳＷに送り、スイッチＳＷを開閉させる。このとき、ダミー負荷Ｒに流れる電流が、断続的に切断される。これにより、電源周波数の１Ｈｚ単位で、断続的な電流が発生する。なお、スイッチＳＷの開閉パターンは、同一の文字同士で同一となり、異なる文字同士で異なるように、文字に対応して予め決められている。そのため、断続的な電流は、コードを表すＭ桁の文字に対応する波形パターンで出現する。また、このＭ桁の文字に対応する波形パターンで出現する断続的な電流が、点検信号である（図３参照）。したがって、点検信号は、文字毎に規定されたビット区間すなわち電源周波数の１Ｈｚの期間にそれぞれ生成された一連の単位電流を含む信号電流となっている。
【００８０】
なお、この実施の形態では、スイッチＳＷの開閉パターンは、後述の表１及び図４（Ａ）を参照して説明する１１種類の文字に対応する文字信号の信号電流の構成パターンに一致する。これら１１種類の文字に対応する文字信号の信号電流の構成パターンすなわちスイッチＳＷの開閉パターンは、それぞれ、格納部２４の参照データ格納部２４ａに格納されており、スイッチ回路制御部２２ｂがスイッチＳＷを開閉させる際に参照される。以下、１１種類の文字に対応する文字信号の信号電流の構成パターンすなわちスイッチＳＷの開閉パターンを、「参照構成パターン」と称する。スイッチ回路制御部２２ｂは、スイッチＳＷを開閉させる際に、参照データ格納部２４ａから各参照構成パターンを読み出し、読み出された各参照構成パターンに基づいて、切替信号をスイッチＳＷに送り、スイッチＳＷを開閉させる。
【００８１】
図３は、各桁のそれぞれが文字“７”となっている５桁のコード“７７７７７”を表す点検信号の例を示している。図３に示すＣＨ１は、点検信号の電流波形を表しており、図３に示すＣＨ２は、点検信号の単位電流を測定するタイミングを表している。なお、図３に示す矢印よりも下のＣＨ１及びＣＨ２は、矢印よりも上のＣＨ１及びＣＨ２を拡大して、さらに正規化した波形を示している。
【００８２】
なお、実施の形態では、扱われる文字の種類を、数字“０〜９”及び中点“・”の１１種類に限定する。これら１１種類の文字は、８Ｈｚ分の区間に対応する信号電流を２進符号で表示すると８ビットの信号として表すことができ、その場合に、文字信号は例えばＮ＝９とした９ビットで表し、その場合には以下の表１に示す構成パターンとなる。
【００８３】
【表１】
2010002243.tif 000003
【００８４】
表１は、信号電流を２進符号で表したとき、各文字に対する文字信号の、２値の値（ビット値）でのビット構成を示している。なお、表１におけるビット値「１」は単位電流の「振幅あり」の状態を示しており、ビット値「０」は単位電流の「振幅なし」の状態を示している。図４（Ａ）は、表１の１１種類の文字に対応する単位電流の波形パターンの出現パターンを示している。この１１種類の文字について、文字“０”では、Ｑは３であって、第１、４、及び５ビット目に単位電流が流れる。文字“１”では、Ｑは４であって、第１、４、５及び９ビット目に単位電流が流れる。文字“２”では、Ｑは４であって、第１、４、５及び８ビット目に単位電流が流れる。文字“３”では、Ｑは５であって、第１、４、５、８及び９ビット目に単位電流が流れる。文字“４”では、Ｑは４であって、第１、４、５及び７ビット目に単位電流が流れる。文字“５”では、Ｑは５であって、第１、４、５，７及び９ビット目に単位電流が流れる。文字“６”では、Ｑは５であって、第１、４、５、７及び８ビット目に単位電流が流れる。文字“７”では、Ｑは６であって、第１、４、５、７、８及び９ビット目に単位電流が流れる。文字“８”では、Ｑは４であって、第１、４、５及び６ビット目に単位電流が流れる。文字“９”では、Ｑは５であって、第１、４、５、６及び９ビット目に単位電流が流れる。また、記号“・”では、Ｑは５であって、第１、２、４、７及び９ビット目に単位電流が流れる。これら１１種類の文字の文字信号を構成する信号電流は、２進符号の表示で、それぞれ、第１ビット目が信号電流の先頭を表すスタートビットとなり、第２〜９ビット目が文字を表す文字ビットとなる（表１及び図４（Ｂ）参照）。なお、第２〜９ビット目の中でも、第４〜９ビット目は、数字“０〜９”を表すビットとなる。そこで、以下、第４〜９ビット目を「数字ビット」と称する。また、第２ビット目は、中点“・”を表す場合等のように、運用に応じて予備的に使用されるビットとなる。そこで、以下、第２ビット目を「予備ビット」と称する。また、第３ビット目は、ビット値が必ず「０」となるので、スタートビットと数字ビットとの分離箇所を表すビットとして、用いることができる。そこで、以下、第３ビット目を「分離ビット」と称する。なお、この実施の形態では、文字信号ビットパターン中にスタートビットを含ませているが、文字信号のビットパターン中にスタートビットを含ませなくてもよい。
【００８５】
上述した１１種類の文字の信号電流は、図４（Ｂ）に示すように、第１ビット目（スタートビット）及び第４ビット目（数字ビットの先頭ビット）のビット値が必ず「１」になりよって単位電流が存在し、第３ビット目（分離ビット）のビット値が必ず「０」になりよって単位電流が不存在であるという規則性を有する。以下、この規則性を、「信号電流の規則性」と称する。
【００８６】
なお、図３に示す例では、１つのコードが５桁の文字列によって構成されている。このように、実施の形態では、１つのコードが予め定められた文字数の文字列によって構成されているものとして説明する。なお、仮に、操作者によってキー入力された文字列が予め定められた文字数（ここでは、５桁）に満たない場合は、発信器１０が、操作者によってキー入力された文字列の前に、「未入力」を意味する文字として中点“・”を不足している桁数分だけ挿入するものとする。したがって、このような場合に、発信器１０は、不足している桁数分の中点“・”と操作者によってキー入力された数字“０”〜“９”とを表す信号電流を生成して、電源配線Ｗｉに出力する。電源配線Ｗｉに出力された信号電流は、電源配線Ｗｉに流れる一般負荷電流と合成された後、電源配線Ｗｉから受信器６０に入力される。
【００８７】
上述した発信器１０及び受信器６０は、単位信号の大きさを、点検対象の電源配線Ｗｉを流れる一般負荷電流の大きさに応じて設定できるのが好ましい。その理由は、一般負荷すなわち電気製品の運転状況が一定であっても、一般負荷電流は電源電圧の変動等で多少変動するため、単位電流の大きさをその変動量よりも大きくしないと、受信器６０で単位電流したがって信号電流を検出することができないからである。この理由について、以下に、詳述する。
【００８８】
例えば、一般負荷電流が５％変動し、かつ、単位電流の大きさが１．０アンペアである場合に、一般負荷電流の大きさが１０アンペアであるときと５０アンペアであるときとを比較するものとする。すると、一般負荷電流の大きさが１０アンペアであるときは、一般負荷電流の変動量が１０×０．０５＝０．５アンペアとなる。この変動量は、単位電流の大きさよりも小さい。そのため、受信器６０は、検出電流から単位電流したがって信号電流を検出することができる。これに対して、一般負荷電流の大きさが５０アンペアであるときは、一般負荷電流の変動量が５０×０．０５＝２．５アンペアとなる。この変動量は、単位電流の大きさよりも大きい。そのため、受信器６０は、検出電流から単位電流したがって信号電流を検出することができない。したがって、発信器１０及び受信器６０は、受信器６０が検出電流から信号電流を必ず検出することができるように、単位電流の大きさを、点検対象の電源配線Ｗｉを流れる一般負荷電流の大きさに応じて設定するのが好ましい。
【００８９】
（合成電流の詳細）
以下、図５を参照して、合成電流の詳細につき説明する。なお、図５は、電流の波形を示す図である。図５は、一般負荷電流の波形を「波形１」として示し、文字“７”を表す文字信号の信号電流の波形を「波形２」として示し、さらに、一般負荷電流と信号電流とが合成された合成電流の波形を「波形３」として示している。
【００９０】
例えば、図２に示す電気回路において、（波高値±４アンペア）の一般負荷電流（図５の「波形１」参照）が、電源配線Ｗｉに流れているものとする。なお、「波高値」とは、交流電流における波形の頂点を意味している。この「波高値」は、振幅の値が最大になる。以下、「波高値」を、電流の「最大値」または「電流値」と称する場合もある。
【００９１】
ここで、図２に示す電気回路において、（波高値±２アンペア）の文字“７”を表す信号電流（図５の「波形２」参照）が、発信器１０から電源配線Ｗｉに出力されたとする。なお、文字“７”を表す信号電流の構成は、以下の表２の通りとなっている。
【００９２】
【表２】
2010002243.tif 000004
【００９３】
この表２では、信号電流の構成を各ビット区間に流れる単位電流の有無で示してある。図５に示す例では、発信器１０は、表２に示す文字“７”を表す信号電流を、ビット区間２〜１０の９Ｈｚ（９ビット）分の区間で、電源配線Ｗｉに出力している。なお、発信器１０は、最初の９ビットからなる１文字分の信号電流を電源配線Ｗｉに出力した後は、所定の離間区間すなわち予め定められたビット区間だけ間隔を置いて、次の９ビットの１文字分の信号電流を電源配線Ｗｉに出力している。なお、図５に示す例では、１文字列につき９Ｈｚの信号電流に対して、先行する文字とこれに続く文字との間に、２Ｈｚ（ビット）の離間区間（具体的には、ビット区間１１及び１２の２Ｈｚ（２ビット）分の区間）を与えている。したがって、発信器１０は、５桁の文字列のコードを出力する場合に、９Ｈｚ×５＋２Ｈｚ×４＝５３Ｈｚ、すなわち、１秒弱の時間で出力している。
【００９４】
電源配線Ｗｉに出力された文字信号としての信号電流は、信号電流を構成する各単位電流が電源配線Ｗｉを流れる一般負荷電流と合成される。その結果、合成電流（図５の「波形３」参照）が、生成される。この合成電流は、単位電流の波高値が発生していない区間（すなわち、ビット区間１、３、４、７、１１、１２、１４）での波高値が４アンペアとなっている。また、この合成電流は、単位電流の波高値が発生している区間（すなわち、ビット区間２、５、６、８、９、１０、１３）で、一般負荷電流の波高値の４アンペアに信号電流の波高値の２アンペアが加算されることにより、これらの区間での波高値が６アンペアとなっている。
【００９５】
（システムの動作）
以下、システムの動作の概要につき説明する。
【００９６】
操作者は、実施の形態のシステムにこのような検出を行わせるために、発信器１０と受信器６０を以下のように操作する。
【００９７】
すなわち、操作者は、まず、受信器６０及び発信器１０を持って、電力量計Ｗｈの設置場所に行く。
【００９８】
そして、操作者は、受信器６０の電源スイッチ６２をＯＮにして、受信器６０の電源を入れる。受信器６０は、電源が入ると、これに応答して、ディスプレイ６６にメニュー画面を表示する。このメニュー画面には、例えば以下の表３に示す初期コードを入力する欄が含まれている。操作者は、受信器６０の入力キー６４を操作して任意の初期コードを入力する。
【００９９】
【表３】
2010002243.tif 000005
【０１００】
ここでは、操作者は、初期コードとして、１００／２００Ｖ型単相３線式の電力の供給方式に対応するコード（“２”）を入力したものとする。これにより、受信器６０は、１００／２００Ｖ型単相３線式の電力の供給方式に対応した合成信号を受信するための待機状態となる。
【０１０１】
次に、操作者は、電源配線Ｗｉに一般負荷電流だけが流れている状態、すなわち、発信器１０が点検信号を出力していない状態で、受信器６０の変流器ＣＴ１及びＣＴ３をそれぞれ電源側の電源配線ＷｉのＡ線及びＢ線に接続し、かつ、電圧端子クリップＣＬ１、ＣＬ２、及びＣＬ３をそれぞれ負荷側の電源配線ＷｉのＡ線、Ｂ線、及びＣ線に接続することにより、図１に示すように、受信器６０を、電源配線Ｗｉに接続する。
【０１０２】
このとき、受信器６０には、接続端子を介して電源配線Ｗｉから、図５のビット区間１で流れる「波形３」の電流（すなわち、点検信号の単位電流の成分を含まない、一般負荷電流の成分だけからなる電流）が検出電流として入力される。
【０１０３】
受信器６０の点検信号検出部７０の判定部７２ｂのパターン検出手段７３ａは、図５のビット区間１で流れる「波形３」の検出電流がＡ／Ｄ変換されて入力されると、これに応答して、入力された検出電流の電流値（波高値）を測定して、その信号を格納部７４の動作データ格納部７４ｂにデジタルデータとして格納する。これにより、受信器６０は、一般負荷電流の電流値すなわち電源が入れられてから最初に測定した合成電流の電流値（波高値）を格納部７４の動作データ格納部７４ｂに格納する。
【０１０４】
次に、操作者は、図１に示すように、発信器１０を、建物に張り巡らされた電源配線Ｗｉに接続する。このとき、受信器６０のＣＴ１及びＣＴ３が電源配線ＷｉのＡ線及びＢ線に接続される。そのため、操作者は、以下の第１及び第２の接続方法のいずれかの方法によって、発信器１０を電源配線ＷｉのＡ線及びＢ線に接続して、点検信号をアナログ信号として出力させる。
【０１０５】
そのために、まず、操作者は、第１の接続方法として、発信器１０を持って、点検対象の住居に設置されているコンセントＣＮの設置場所に行き、発信器１０のプラグＰＬを電源配線ＷｉのＡ線に繋がっている住居内のコンセントＣＮの一箇所に差し込んで点検信号を出力させ、続いて、発信器１０のプラグＰＬを電源配線ＷｉのＢ線に繋がっている住居内のコンセントＣＮの一箇所に差し込んで点検信号を出力させる。
【０１０６】
もしくは、操作者は、第２の接続方法として、発信器１０を持って、分電盤Ｂ（図２１参照）の設置場所に行き、発信器１０のプラグＰＬを図１４に示すケーブルＣＢのソケットＳＣに挿入し、続いて、ケーブルＣＢの電圧端子クリップｃｌ１及びｃｌ２を分電盤Ｂの端子１Ｌに接続された電源配線ＷｉのＡ線及び端子３Ｌに接続された電源配線ＷｉのＢ線に接続して点検信号を出力させる。
【０１０７】
なお、実際の作業では、住宅等に設置されているコンセントＣＮは、外観からは、Ａ線及びＢ線のいずれに接続されているのかが判別できない。そのため、操作者は、第２の接続方法で発信器１０を電源配線ＷｉのＡ線及びＢ線に接続する場合が多い。
【０１０８】
次に、操作者は、発信器１０の入力キー１４から複数の文字列からなる任意のコード（例えば、部屋番号）を入力する。ここでは、コードは、予め定められたＭ桁（例えば、５桁）の数字によって構成されているものとして説明する。発信器１０の点検信号生成部２０は、操作者によってコードが入力されると、これに応答して、格納部２４の参照データ格納部２４ａから参照データ格納部２４ａに文字信号のビットパターン単位で予め格納された表１に規定された１１種類の文字に対応する文字信号の信号電流の各参照構成パターンを読み出し、各参照構成パターンに基づいて、１文字ずつ、入力された文字すなわち数字に対応する各文字信号を、表１及び図４（Ａ）を参照して説明したようなＮビット区間（ここでは、９ビット区間）の信号電流として生成する。なお、操作者によってキー入力された文字列が予め定められたＭ桁に満たなく、例えば（Ｍ−２）桁である場合に、発信器１０の点検信号生成部２０は、操作者によってキー入力された文字列の前に、「未入力」を意味する文字として中点“・”を不足している２桁分だけ挿入して、１文字ずつ、信号電流を、５０Ｈｚまたは６０Ｈｚの電源周波数のＨｚ（例えば、９Ｈｚ）を単位にした同期サイクルで生成する。
【０１０９】
発信器１０の点検信号生成部２０は、点検信号を生成すると、これに応答して、生成した点検信号を、ケーブルＣＢの電圧端子クリップｃｌ１及びｃｌ２を介して負荷側の電源配線ＷｉのＡ線、及びＣ線に、１文字分ずつ順次出力する。１ビット区間は１Ｈｚの区間としてあるので、１文字の信号電流は、１ビット区間に１つの単位電流の態様で９Ｈｚの区間に分けて出力される（図５のビット区間２〜１０で流れる「波形２」参照）。なお、既に説明したように、実施の形態では、文字と文字の間には、信号電流が存在しない予め定められた間隔（ここでは、図５のビット区間１１及び１２の２Ｈｚの区間）が設定されている。発信器１０は、この２Ｈｚ分の区間に続いて、２文字目の信号電流（図５のビット区間１３以降の９Ｈｚの区間）を出力する。
【０１１０】
図５を参照して既に説明したように、電源配線Ｗｉに出力された信号電流は、電源配線Ｗｉに流れている一般負荷電流と合成されて、図５のビット区間２〜１０で流れる「波形３」の電流すなわち一般負荷電流及び信号電流（具体的には、単位電流の部分）の双方の成分からなる合成電流となる。なお、ここでは、一例として、図５のビット区間２〜１０で流れる「波形３」の電流、すなわち一般負荷電流及び信号電流の双方の成分からなる合成電流の波高値が“６アンペア”であるものとして説明する。
【０１１１】
受信器６０の点検信号検出部７０の判定部７２ｂのパターン検出手段７３ａは、図５のビット区間２〜１０で流れる「波形３」の検出電流がＡ／Ｄ変換されてデジタル信号として入力されると、これに応答して、検出電流の電流値（波高値）を検出する。受信器６０の判定部７２ｂは、検出電流に対して、電源周波数の１Ｈｚ毎に、検出電流の電流値と検出電流が一般負荷電流及び信号電流の双方の成分からなる合成電流であるか否かを判定するために予め定められたデジタル値としての閾値（後述の「上限閾値」）とを比較する。この比較により、検出電流の電流値が閾値を超過する値であるときに、合成電流に対して“信号電流あり”すなわち比較した１Ｈｚの区間に流れる単位電流が有ると判定する。一方、検出電流の電流値が閾値以下の値であるときに、検出電流に対して“信号電流なし”すなわち比較した１Ｈｚの区間に流れる単位電流が無いと判定する。これにより、受信器６０は、検出電流から一般負荷電流及び信号電流従って単位電流の双方の成分からなる合成電流の区間（以下、「“信号電流あり”の区間」と称する）と信号電流従って単位電流の成分を含まない一般負荷電流の成分のみからなる区間（以下、「“信号電流なし”の区間」と称する）とを分離して、１Ｈｚ毎の単位電流の波形パターンを検出する。
【０１１２】
この閾値と信号電流の１Ｈｚのビット区間における一般負荷電流及び単位電流との関係は、以下の式（１）のようになる。
【０１１３】
｜（一般負荷電流の波高値）｜≦閾値＜｜（一般負荷電流の波高値＋単位電流の波高値）｜＝｜（合成電流の波高値）｜      …（１）
【０１１４】
例えば、閾値が５アンペアとなっているものとする。そして、受信器６０の判定部７２ｂは、図５に示す検出電流の電流値と閾値とを１Ｈｚの区間毎に比較するものとする。この場合に、判定部７２ｂのパターン検出手段７３ａは、検出電流の電流値すなわち合成電流の電流値が±５アンペア以下の値であるときに、検出電流に対して単位電流が無いので“信号電流なし”と判定し、また、検出電流の電流値すなわち合成電流の電流値が±５アンペアを超過する値であるときに、検出電流に対して単位電流が有るので“信号電流あり”と判定する。判定部７２ｂのパターン検出手段７３ａは、このような判定を順次行い、判定した結果をデジタルデータとして格納部７４の動作データ格納部７４ｂに一旦格納する。
【０１１５】
判定部７２ｂのパターン検出手段７３ａは、動作データ格納部７４ｂに判定結果を格納するとき、“信号電流あり”のビット区間をビット値“１”とし、“信号電流なし”のビット区間をビット値“０”としたビットパターンにして格納する。このビットパターンは、単位電流の電流波形の出現パターンに対応している。
【０１１６】
次に、このようにして順次に検出して得られた単位電流の波形パターンの出現パターンから、これら出現パターンに対応する文字の文字信号を特定する。
【０１１７】
この特定は、次のようにして行う。判定部７２ｂの文字信号特定手段７３ｂは、判定結果の格納に応答して、動作データ格納部７４ｂから単位電流の出現パターンを表すビットパターンを読み出すとともに、格納部７４の参照データ格納部７４ａから参照データ格納部７４ａに文字信号のビットパターン単位で予め格納された表１に規定された１１種類の文字に対応する文字信号の信号電流の各参照構成パターンを読み出し、単位電流の出現パターンと１１種類の各文字の各参照構成パターンとを順次にビットパターン同士で比較する。
【０１１８】
この比較において、単位電流の出現パターンを表すビットパターンが１１種類の文字の各参照構成パターンのいずれかに合致していれば、このビットパターンは、合致している参照構成パターンが表す文字の信号電流であると判定されるので、判定された信号電流から文字信号を特定することができる。したがって、この比較において、１１種類の全ての文字の文字信号が順次に特定されると、特定された順に文字信号を時間配列することにより、点検信号を得て、この点検信号をデジタルデータとして動作データ格納部７４ｂに一旦格納する。このように、点検信号から単位電流の出現パターンを検出し、検出された単位電流の出現パターンから各文字に対応する文字信号を割り出すことによって、検出信号から点検信号を検出することができる。
【０１１９】
次に、判定部７２ｂのコード取得手段７３ｃは、検出された点検信号から、コードを取得する。そのため、コード取得手段７３ｃは、動作データ格納部７４ｂから点検信号を読み出してきて、点検信号に含まれる各文字信号を構成している文字信号が各文字と対応関係にあるので、これらも次信号から各文字に変換する。
【０１２０】
この変換の一例を、以下の表４に示す。
【０１２１】
【表４】
2010002243.tif 000006
【０１２２】
この表の例では、第１ビット区間から第９ビット区間までの各ビット区間に単位電流の有無が判定されていて、単位電流の出現パターンが形成されている。この出現パターンに対応する文字は「７」であることが示されている。
【０１２３】
コード取得手段７３ｃは、変換された文字を文字信号の信号電流の出現パターンと関連付けて、デジタルデータとして、格納部７４の検出コード格納部７４ｃに格納する。このようにして、検出コード格納部７４ｃに予め定められた桁数の文字列がデジタルデータとして格納されることにより、操作者によってキー入力されたコードを取得する。
【０１２４】
ディスプレイ制御部７２ｃは、検出コード格納部７４ｃに格納された文字列が予め定められた桁数（ここでは、５桁）揃うと、これに応答して、検出コード格納部７４ｃから５桁の文字列を読み出し、読み出した５桁の文字列をディスプレイ６６に出力して、操作者によってキー入力されたコードとしてディスプレイ６６に表示させる。
【０１２５】
なお、図４（Ｂ）を参照して既に説明したように、実施の形態によれば、扱われる文字の種類を数字“０〜９”及び中点“・”の１１種類に限定することにより、第１ビット目（スタートビット）及び第４ビット目（数字ビットの先頭ビット）のビット値が必ず「１」になり、第３ビット目（分離ビット）のビット値が必ず「０」になるという信号電流の規則性を得ている。これにより、実施の形態によれば、受信器６０の点検信号検出部７０の判定部７２ｂが、９Ｈｚ分の区間の合成電流の波形とこの信号電流の規則性と比較することにより、１つの文字信号に相当する９Ｈｚ分の区間の合成電流の波形が信号電流を含んでいるのか否かを容易に判定できる。その結果、受信器６０が、合成電流から文字に対応する信号電流を容易かつ正確に検出することができる。
【０１２６】
以下、図６、図７、及び図８を参照して、受信器６０の動作の詳細につき説明する。なお、図６は、実施の形態のシステムの動作フローチャートである。また、図７は、閾値の説明図である。図７は、一般負荷電流の波形を「波形１」として示し、文字“７”を表す信号電流の波形を「波形２」として示し、さらに、一般負荷電流と信号電流とが合成された合成電流の波形を「波形３」として示している。
【０１２７】
受信器６０には、電源配線Ｗｉから、図７に「波形３」として示す検出電流としての合成電流が商用周波数の１Ｈｚずつ順次に連続して入力され、合成電流の電流値を随時測定して測定データとして格納部７４の動作データ格納部７４ｂに一旦格納される。そして、受信器６０の点検信号検出部７０は、図６にフローで示す一連の動作を行う。なお、既に説明している通り、信号電流は文字に対応して指定された箇所の１Ｈｚ区間にそれぞれ流れる単位電流で形成されている。ここでは、一般負荷電流の大きさに対応する理論上の信号電流従って単位電流の最大値ｂがデジタルの参照データとして予め参照データ格納部７４ａに格納されているものとして説明する。また、参照データ格納部７４ａには、後述する各式が予め格納されており、以下説明する動作においては、受信器６０の点検信号検出部７０の判定部７２ｂのパターン検出手段７３ａは、参照データ格納部７４ａから各式をそれぞれ読み出して、読み出した式にしたがってそれぞれの演算を行うものする。
【０１２８】
すなわち、まず、判定部７２ｂのパターン検出手段７３ａは、動作データ格納部７４ｂに格納されたデジタルの測定データ（図７［波形３］参照）を読み出して、１Ｈｚ目の検出電流の最大値ａを計測する（Ｓ１０５）。１Ｈｚ目の検出電流は、図７に示すように、信号電流の成分を含まない、一般負荷電流の成分のみからなる電流となっている。したがって、１Ｈｚ目の検出電流の最大値ａは、一般負荷電流の最大値を表している。なお、図７に示す例では、１Ｈｚ目の検出電流の最大値ａは、４アンペアとなっている。したがって、図７に示す例では、判定部７２ｂのパターン検出手段７３ａは、１Ｈｚ目の検出電流の最大値ａとして、４アンペアを計測する。
【０１２９】
このパターン検出手段７３ａは、１Ｈｚ目の検出電流の最大値ａを計測する。
【０１３０】
判定部７２ｂのパターン検出手段７３ａは、１Ｈｚ目の検出電流の最大値ａを計測すると、これに応答して、参照データ格納部７４ａから信号電流従って単位電流の最大値ｂを読み出して、以下の式（２）にしたがって、受信器６０に入力される電流を検出するための閾値（以下、「下限閾値」と称する）ｃをデジタルデータとして算出して、算出した下限閾値ｃを動作データ格納部７４ｂに格納する（Ｓ１１０）。
【０１３１】
ｃ＝（ａ−ｂ×０．２）      …（２）
【０１３２】
以下、値を算出または特定して動作データ格納部７４ｂに格納する動作を、「設定」と称する。
【０１３３】
なお、図７に示す例では、１Ｈｚ目の検出電流の最大値ａは、４アンペアとなっており、また、信号電流の最大値ｂは、２アンペアとなっている。そのため、式（２）の演算結果は３．６となる。したがって、図７に示す例では、判定部７２ｂのパターン検出手段７３ａは、下限閾値ｃとして３．６アンペアを表すデジタル値を動作データ格納部７４ｂに設定する。
【０１３４】
判定部７２ｂのパターン検出手段７３ａは、閾値ｃを設定すると、これに応答して、動作データ格納部７４ｂに格納された測定データ（図７［波形３］参照）を読み出して、２Ｈｚ目の検出電流の最大値ｄを計測する（Ｓ１１５）。２Ｈｚ目の検出電流は、図７に示すように、一般負荷電流及び信号電流の双方の成分からなる合成電流の第１ビット目すなわちスタートビット区間となっている。なお、図７に示す例では、２Ｈｚ目の検出電流の最大値ｄは、６アンペアとなっている。したがって、図７に示す例では、判定部７２ｂのパターン検出手段７３ａは、２Ｈｚ目の検出電流の最大値ｄとして、６アンペアを計測する。このパターン検出手段７３ａは、２Ｈｚ目の検出電流の最大値ｄを計測すると、これに応答して、動作データ格納部７４ｂから下限閾値ｃを読み出し、２Ｈｚ目の検出電流の最大値ｄが下限閾値ｃより大きいか否かを判定する（Ｓ１２０）。
【０１３５】
Ｓ１２０の判定で、２Ｈｚ目の検出電流の最大値ｄが下限閾値ｃより大きいと判定された場合に、工程はＳ１２５に進み、２Ｈｚ目の検出電流の最大値ｄが下限閾値ｃ以下であると判定された場合に、工程はＳ１３０を経てＳ１０５に戻る。
【０１３６】
すなわち、Ｓ１２０の判定で、２Ｈｚ目の検出電流の最大値ｄが下限閾値ｃより大きいと判定された場合に、判定部７２ｂのパターン検出手段７３ａは、以下の式（３）にしたがって、検出電流が一般負荷電流及び前記信号電流の双方の成分からなる合成電流であるか否かを判定するために予め定められた閾値（すなわち、「上限閾値」）ｅを算出して、算出した上限閾値ｅをデジタルデータとして動作データ格納部７４ｂに格納する（Ｓ１２５）。
【０１３７】
ｅ＝（ａ＋ｂ×０．８）      …（３）
【０１３８】
なお、図７に示す例では、既に説明したように、１Ｈｚ目の検出電流の最大値ａは、４アンペアとなっており、また、信号電流の最大値ｂは、２アンペアとなっている。そのため、式（３）の演算結果は５．６となる。したがって、図７に示す例では、判定部７２ｂのパターン検出手段７３ａは、上限閾値ｅとして５．６アンペアを表すデジタル値を設定する。
【０１３９】
他方、Ｓ１２０の判定で、２Ｈｚ目の検出電流の最大値ｄが下限閾値ｃ以下であると判定された場合に、判定部７２ｂのパターン検出手段７３ａは、２Ｈｚ目の検出電流を１Ｈｚ目の検出電流に設定し直して（Ｓ１３０）、再度、Ｓ１０５〜Ｓ１２０の動作を繰り返す。
【０１４０】
Ｓ１２５の後、判定部７２ｂのパターン検出手段７３ａは、上限閾値ｅを設定すると、これに応答して、動作データ格納部７４ｂから２Ｈｚ目の検出電流の最大値ｄを読み出し、２Ｈｚ目の検出電流の最大値ｄが上限閾値ｅより大きいか否かを判定する（Ｓ１３５）。
【０１４１】
Ｓ１３５の判定で、２Ｈｚ目の検出電流の最大値ｄが上限閾値ｅより大きいと判定された場合に、工程はＳ１４０に進み、２Ｈｚ目の検出電流の最大値ｄが上限閾値ｅ以下であると判定された場合に、工程はＳ１４５を経てＳ１０５に戻る。
【０１４２】
すなわち、Ｓ１３５の判定で、２Ｈｚ目の検出電流の最大値ｄが上限閾値ｅより大きいと判定された場合に、判定部７２ｂのパターン検出手段７３ａは、信号電流の第１ビット目（スタートビット区間）に対応するビット値として単位電流が有ることを表す“１”を設定、すなわち、信号電流の第１ビット目のビット値として“１”を対応付けて格納部７４の動作データ格納部７４ｂに格納する（Ｓ１４０）。
【０１４３】
他方、Ｓ１３５の判定で、２Ｈｚ目の検出電流の最大値ｄが上限閾値ｅ以下であると判定された場合に、判定部７２ｂのパターン検出手段７３ａは、２Ｈｚ目の検出電流を１Ｈｚ目の検出電流に設定し直して（Ｓ１４５）、再度、Ｓ１０５〜Ｓ１３５の動作を繰り返す。
【０１４４】
Ｓ１４０の後、判定部７２ｂのパターン検出手段７３ａは、信号電流の第１ビット目すなわちスタートビット区間に対応するビット値として“１”を設定すると、これに応答して、動作データ格納部７４ｂに格納された測定データ（図７［波形３］参照）を読み出して、３Ｈｚ目の検出電流の最大値ｆを計測する（Ｓ１５０）。３Ｈｚ目の検出電流は、図７に示すように、一般負荷電流及び信号電流の双方の成分からなる合成電流の第２ビット目すなわち予備ビット区間となっている。なお、図７に示す例では、３Ｈｚ目の検出電流の最大値ｆは、４アンペアとなっている。したがって、図７に示す例では、判定部７２ｂのパターン検出手段７３ａは、３Ｈｚ目の検出電流の最大値ｆとして、４アンペアを計測する。判定部７２ｂは、３Ｈｚ目の検出電流の最大値ｆを計測すると、これに応答して、動作データ格納部７４ｂから上限閾値ｅを読み出し、３Ｈｚ目の検出電流の最大値ｆが上限閾値ｅより小さいか否かを判定する（Ｓ１５５）。
【０１４５】
Ｓ１５５の判定で、３Ｈｚ目の検出電流の最大値ｆが上限閾値ｅより小さいと判定された場合に、工程はＳ１６０を経てＳ１７０に進み、３Ｈｚ目の検出電流の最大値ｆが上限閾値ｅ以上であると判定された場合に、工程はＳ１６５を経てＳ１７０に進む。
【０１４６】
すなわち、Ｓ１５５の判定で、３Ｈｚ目の検出電流の最大値ｆが上限閾値ｅより小さいと判定された場合に、判定部７２ｂのパターン検出手段７３ａは、信号電流の第２ビット目（予備ビット区間）に対応するビット値として単位電流が無いことを表す“０”を設定、すなわち、信号電流の第２ビット目のビット値として“０”を対応付けて格納部７４の動作データ格納部７４ｂに格納する（Ｓ１６０）。
【０１４７】
他方、Ｓ１５５の判定で、３Ｈｚ目の検出電流の最大値ｆが上限閾値ｅ以上であると判定された場合に、判定部７２ｂのパターン検出手段７３ａは、信号電流の第２ビット目（予備ビット区間）に対応するビット値として“１”を設定、すなわち、信号電流の第２ビット目のビット値として“１”を対応付けて格納部７４の動作データ格納部７４ｂに格納する（Ｓ１６５）。
【０１４８】
Ｓ１６０またはＳ１６５の後、判定部７２ｂのパターン検出手段７３ａは、信号電流の第２ビット目（予備ビット区間）に対応するビット値を設定すると、これに応答して、動作データ格納部７４ｂに格納された測定データ（図７［波形３］参照）を読み出して、４Ｈｚ目の検出電流の最大値ｇを計測する（Ｓ１７０）。４Ｈｚ目の検出電流は、図７に示すように、一般負荷電流及び信号電流の双方の成分からなる合成電流の第３ビット目すなわち分離ビット区間となっている。なお、図７に示す例では、４Ｈｚ目の検出電流の最大値ｇは、４アンペアとなっている。したがって、図７に示す例では、判定部７２ｂのパターン検出手段７３ａは、４Ｈｚ目の検出電流の最大値ｇとして、４アンペアを計測する。
【０１４９】
判定部７２ｂのパターン検出手段７３ａは、４Ｈｚ目の検出電流の最大値ｇを計測すると、これに応答して、動作データ格納部７４ｂから上限閾値ｅを読み出し、４Ｈｚ目の検出電流の最大値ｇが上限閾値ｅより小さいか否かを判定する（Ｓ１７５）。
【０１５０】
Ｓ１７５の判定で、４Ｈｚ目の検出電流の最大値ｇが上限閾値ｅより小さいと判定された場合に、工程はＳ１８０を経てＳ１９０に進み、４Ｈｚ目の検出電流の最大値ｇが上限閾値ｅ以上であると判定された場合に、工程はＳ１８５を経てＳ１０５に戻る。
【０１５１】
すなわち、Ｓ１７５の判定で、４Ｈｚ目の検出電流の最大値ｇが上限閾値ｅより小さいと判定された場合に、判定部７２ｂのパターン検出手段７３ａは、信号電流の第３ビット目（分離ビット区間）に対応するビット値として“０”を設定、すなわち、信号電流の第３ビット目のビット値として“０”を対応付けて格納部７４の動作データ格納部７４ｂに格納する（Ｓ１８０）。
【０１５２】
他方、Ｓ１７５の判定で、４Ｈｚ目の検出電流の最大値ｇが上限閾値ｅ以上であると判定された場合に、判定部７２ｂのパターン検出手段７３ａは、４Ｈｚ目の検出電流を１Ｈｚ目の検出電流に設定し直して（Ｓ１８５）、再度、Ｓ１０５〜Ｓ１７５の動作を繰り返す。
【０１５３】
Ｓ１８０の後、判定部７２ｂのパターン検出手段７３ａは、信号電流の第３ビット目すなわち分離ビット区間に対応するビット値として“０”を設定すると、これに応答して、動作データ格納部７４ｂに格納された測定データ（図７［波形３］参照）を読み出して、５Ｈｚ目の検出電流の最大値ｈを計測する（Ｓ１９０）。５Ｈｚ目の検出電流は、図７に示すように、一般負荷電流及び信号電流の双方の成分からなる合成電流の第４ビット目すなわち数値ビットの先頭ビット区間となっている。なお、図７に示す例では、５Ｈｚ目の検出電流の最大値ｈは、６アンペアとなっている。したがって、図７に示す例では、判定部７２ｂのパターン検出手段７３ａは、５Ｈｚ目の検出電流の最大値ｈとして、６アンペアを計測する。
【０１５４】
判定部７２ｂのパターン検出手段７３ａは、５Ｈｚ目の検出電流の最大値ｈを計測すると、これに応答して、動作データ格納部７４ｂから上限閾値ｅを読み出し、５Ｈｚ目の検出電流の最大値ｈが上限閾値ｅより大きいか否かを判定する（Ｓ１９５）。
【０１５５】
Ｓ１９５の判定で、５Ｈｚ目の検出電流の最大値ｈが上限閾値ｅより大きいと判定された場合に、工程はＳ２００に進み、５Ｈｚ目の検出電流の最大値ｈが上限閾値ｅ以下であると判定された場合に、工程はＳ２０５を経てＳ１０５に戻る。
【０１５６】
すなわち、Ｓ１９５の判定で、５Ｈｚ目の検出電流の最大値ｈが上限閾値ｅより大きいと判定された場合に、判定部７２ｂのパターン検出手段７３ａは、信号電流の第４ビット目（数値ビットの先頭ビット区間）に対応するビット値として“１”を設定、すなわち、信号電流の第４ビット目のビット値として“１”を対応付けて格納部７４の動作データ格納部７４ｂに格納する（Ｓ２００）。
【０１５７】
他方、Ｓ１９５の判定で、５Ｈｚ目の検出電流の最大値ｈが上限閾値ｅ以下であると判定された場合に、判定部７２ｂのパターン検出手段７３ａは、５Ｈｚ目の検出電流を１Ｈｚ目の検出電流に設定し直して（Ｓ２０５）、再度、Ｓ１０５〜Ｓ１９５の動作を繰り返す。
【０１５８】
Ｓ２００の後、判定部７２ｂのパターン検出手段７３ａは、信号電流の第４ビット目（数値ビットの先頭ビット区間）に対応するビット値として“１”を設定すると、これに応答して、動作データ格納部７４ｂに格納された測定データ（図７［波形３］参照）を読み出して、（５＋ｎ）Ｈｚ目（ただし、ｎは１〜５の整数）の検出電流の最大値ｘを計測する（Ｓ２１０）。（５＋ｎ）Ｈｚ目の検出電流は、図７に示すように、一般負荷電流及び信号電流の双方の成分からなる合成電流の第５〜９ビット目の区間となっている。なお、図７に示す例では、６、８、９、及び１０Ｈｚ目の区間の検出電流（すなわち、５、７、８、及び９ビット目の区間の信号電流の成分を含む合成電流）の最大値ｘが６アンペアとなり、７Ｈｚ目の検出電流（すなわち、６ビット目の区間の信号電流の成分を含む合成電流）の最大値ｘが４アンペアとなっている。したがって、図７に示す例では、判定部７２ｂのパターン検出手段７３ａは、６、８、９、及び１０Ｈｚ目の区間の検出電流（すなわち、５、７、８、及び９ビット目の区間の信号電流の成分を含む合成電流）の最大値ｘとして、６アンペアを計測し、７Ｈｚ目の検出電流（すなわち、６ビット目の区間の信号電流の成分を含む合成電流）の最大値ｘとして、４アンペアを計測する。
【０１５９】
判定部７２ｂのパターン検出手段７３ａは、（５＋ｎ）Ｈｚ目の検出電流の最大値ｘを計測すると、これに応答して、ｎが５よりも小さいか否かを判定する（Ｓ２１５）。
【０１６０】
Ｓ２１５の判定で、ｎが５よりも小さいと判定された場合に、工程はＳ２２０に進み、ｎが５以上であると判定された場合に、工程はＳ２３５に進む。
【０１６１】
すなわち、Ｓ２１５の判定で、ｎが５よりも小さいと判定された場合に、判定部７２ｂのパターン検出手段７３ａは、これに応答して、動作データ格納部７４ｂから（５＋ｎ）Ｈｚ目の検出電流の最大値ｘ及び上限閾値ｅを読み出し、（５＋ｎ）Ｈｚ目の検出電流の最大値ｘが上限閾値ｅより大きいか否かを判定する（Ｓ２２０）。
【０１６２】
Ｓ２２０の判定で、（５＋ｎ）Ｈｚ目の検出電流の最大値ｘが上限閾値ｅより大きいと判定された場合に、判定部７２ｂのパターン検出手段７３ａは、信号電流の第（４＋ｎ）ビット目の区間に対応するビット値として“１”を設定、すなわち、信号電流の第（４＋ｎ）ビット目の区間のビット値として“１”を対応付けて格納部７４の動作データ格納部７４ｂに格納する（Ｓ２２５）。この後、工程はＳ２１０に戻り、判定部７２ｂのパターン検出手段７３ａが、再度、Ｓ２１０〜Ｓ２２５の動作を繰り返す。
【０１６３】
他方、Ｓ２２０の判定で、（５＋ｎ）Ｈｚ目の検出電流の最大値ｘが上限閾値ｅ以下であると判定された場合に、判定部７２ｂのパターン検出手段７３ａは、信号電流の第（４＋ｎ）ビット目の区間に対応するビット値として“０”を設定、すなわち、信号電流の第（４＋ｎ）ビット目の区間のビット値として“０”を対応付けて格納部７４の動作データ格納部７４ｂに格納する（Ｓ２３０）。この後、工程はＳ２１０に戻り、判定部７２ｂのパターン検出手段７３ａが、再度、Ｓ２１０〜Ｓ２２５の動作を繰り返す。
【０１６４】
Ｓ２１５の判定で、ｎが５以上と判定された場合に、判定部７２ｂの文字信号特定手段７３ｂは、これに応答して、動作データ格納部７４ｂから９ビット分の区間の信号電流のビット値を読み出し、９ビット分の区間の信号電流のビット値からなるビットパターンを、参照データ格納部７４ａから読み出した９ビット分の区間の参照構成パターンと照合して、対応する文字データ（以下、単に「文字」と称する）に変換する（Ｓ２３５）。この照合によって、９ビット分の区間の信号電流のビットパターンが数字“０〜９”及び中点“・”のいずれかに合致するか否かについて判定されて、当該ビットパターンに対応付けられた文字が特定される（Ｓ２４０）。判定部７２ｂの文字信号特定手段７３ｂは、変換した文字と当該ビットパターンとを関連付けてデジタルデータとして動作データ格納部７４ｂに格納する。
【０１６５】
上述のＳ２４０の判定で、変換された文字が数字“０〜９”及び中点“・”のいずれかに合致すると判定された場合に、工程はＳ２４５に進み、変換された文字が数字“０〜９”及び中点“・”のいずれかにも合致しないと判定された場合に、工程はＳ２５０に進む。
【０１６６】
すなわち、Ｓ２４０の判定で、変換された文字が数字“０〜９”及び中点“・”のいずれかに合致すると判定された場合に、判定部７２ｂの文字信号特定手段７３ｂは、変換された文字をデジタルデータとして格納部７４の検出コード格納部７４ｃに格納する（Ｓ２４５）。この文字への変換処理は、上述した点検信号を構成するＮ個の文字の全てに関して文字信号の特定が行われて、Ｍ個の変換された文字からなる文字列として検出コード格納部７４ｃに格納される。このとき、先に変換された文字列が存在する場合は、変換された文字がコードの２番目以降の文字列であるので、変換された文字を、先に変換された文字列の後に追加して格納部７４の検出コード格納部７４ｃに格納する。この後、工程はＳ２６０に進む。このようにして、上述の単位電流の出現パターンから、蓄積された文字列が、既に説明した点検信号に対応するデジタルデータとして、検出される。
【０１６７】
他方、Ｓ２４０の判定で、変換された文字が数字“０〜９”及び中点“・”のいずれかに合致しないと判定された場合に、判定部７２ｂの文字信号特定手段７３ｂは、変換された文字に対して不明文字を表す符号“？”を対応付けて格納部７４の検出コード格納部７４ｃに格納する（Ｓ２５０）。
【０１６８】
Ｓ２５０の後、ディスプレイ制御部７２ｃは、検出コード格納部７４ｃから格納された文字列を読み出し、読み出した文字列を点検信号の受信回数とともにディスプレイ６６に出力する。これにより、ディスプレイ６６は、点検信号の受信回数に対応する文字列を表示する（Ｓ２５５）。この後、工程はＳ２７０に進む。
【０１６９】
次に、判定部７２ｂのコード取得手段７３ｃは、検出コード格納部７４ｃに格納された、Ｍ個のＮビットの文字信号からなる点検信号のビットパターンを読み出すとともに、参照データ格納部７４ａから、入力コードを構成するＭ桁の文字に対応する文字参照ビットパターンを読み出してきて、双方のビットパターンを照合してＭ桁のコードを取得する。このコード取得につき以下、説明する。
【０１７０】
Ｓ２４５の後、判定部７２ｂのコード取得手段７３ｃは、変換された文字を格納部７４の検出コード格納部７４ｃに格納すると、これに応答して、検出コード格納部７４ｃから格納された文字列を読み出し、読み出された文字列が５（Ｍ＝５）桁か否かを上述のビットパターンの照合により判定する（Ｓ２６０）。
【０１７１】
Ｓ２６０の判定で、読み出された文字列が５桁であると判定された場合に、工程はＳ２６５を経てＳ２７０に進み、読み出された文字列が５桁でないと判定された場合に、工程は直接Ｓ２７０に進む。
【０１７２】
すなわち、Ｓ２６０の判定で、読み出された文字列が５桁であると判定された場合に、ディスプレイ制御部７２ｃは、これに応答して、検出コード格納部７４ｃから格納された文字列を読み出し、読み出した文字列を点検信号の受信回数とともにＤ／Ａ変換してディスプレイ６６に出力する。これにより、ディスプレイ６６は、点検信号の受信回数に対応する文字列を表示する（Ｓ２６５）。この後、工程はＳ２７０に進む。
【０１７３】
Ｓ２５５またはＳ２６５の後、判定部７２ｂは、次のＨｚ目の検出電流を１Ｈｚ目の検出電流に設定し直して（Ｓ２７０）、再度、同様の動作を繰り返す。
【０１７４】
このようにして、受信器６０は、電源配線Ｗｉを流れる合成電流からコードを取得して、ディスプレイ６６に表示する。
【０１７５】
ところで、従来の配線経路点検システムに係る受信器（以下、「従来の受信器」と称する）は、合成電流が信号電流の成分を含む電流であるにもかかわらず、合成電流に対して“信号電流なし”と判定するときがあるという不都合があった。以下、図８を参照して、この不都合につき説明する。なお、図８は、閾値の説明図である。
【０１７６】
すなわち、一般負荷電流は、文字と文字との間の区間で減少する場合がある。例えば、図８に示す例では、「波形１」として示す一般負荷電流は、ビット区間１〜１０では、波高値が４アンペアとなっているのに対して、ビット区間１１以降では、波高値が３アンペアとなっている。そのため、「波形３」として示す合成電流は、ビット区間１３以降において、信号電流の成分を含む電流であるにもかかわらず、波高値が５アンペアとなっている。このような場合に、従来の受信器であれば、合成電流の波高値の５アンペアと閾値の５アンペアが同値であり、波高値が閾値以下となっているので、合成電流に対して“信号電流なし”と判定する。したがって、このような場合に、従来の受信器は、合成電流が信号電流の成分を含む電流であるにもかかわらず、合成電流に対して“信号電流なし”と判定する。
【０１７７】
そこで、この発明の実施の形態では、このような判定がなされることがないように、以下のような工夫を行い、これによって、受信器６０の受信精度を向上させている。
【０１７８】
すなわち、実施の形態では、判定部７２ｂのパターン検出手段７３ａは、文字と文字との間の区間（図８に示す例では、ビット区間１１及び１２の２Ｈｚ分の区間）で測定される一般負荷電流の波高値（ここでは、“３アンペア”）を基準にして、文字単位で、閾値（上限閾値）を新たな値（ここでは、“４アンペア”）に再設定すなわち変更する構成としている。
【０１７９】
具体的には、実施の形態では、格納部７４の参照データ格納部７４ａは、信号電流の仮想的な波高値（ここでは、“２アンペア”）を予め格納しておき、判定部７２ｂのパターン検出手段７３ａは、文字と文字との間の区間（図８に示す例では、ビット区間１１及び１２の２Ｈｚ分の区間）で一般負荷電流の波高値（ここでは、“３アンペア”）を測定したときに、参照データ格納部７４ａから信号電流の仮想的な波高値（“２アンペア”）を読み出し、測定された一般負荷電流の波高値の３アンペアに読み出した信号電流の仮想的な波高値の２アンペアを加算する。これにより、パターン検出手段７３ａは、一般負荷電流及び信号電流の双方の成分を含む合成電流の仮想的な波高値として“５アンペア”の値を算出し、一般負荷電流及び信号電流の双方の成分を含む合成電流の仮想的な波高値（ここでは、“５アンペア”）を算出すると、これに応答して、一般負荷電流の波高値（ここでは、“３アンペア”）と一般負荷電流及び信号電流の双方の成分を含む合成電流の仮想的な波高値（ここでは、“５アンペア”）との間で、新たな閾値を決定する。具体的には、一般負荷電流の波高値の“３アンペア”と一般負荷電流及び信号電流の双方の成分を含む合成電流の仮想的な波高値の“５アンペア”との中間値である“４アンペア”を、新たな閾値として決定する。パターン検出手段７３ａは、新たな閾値を決定すると、これに応答して、参照データ格納部７４ａに格納されている旧来の閾値（ここでは、“５アンペア”）に対して、決定した新たな閾値（ここでは、“４アンペア”）を上書きする。これにより、受信器６０は、閾値を、新しい値に再設定して変更する。
【０１８０】
このように、この実施の形態では、受信器６０が、文字と文字との間の予め定められた間隔（ここでは、２Ｈｚ）で測定される一般負荷電流の波高値（ここでは、“３アンペア”）を基準にして、文字単位で、閾値を新たな値（ここでは、“４アンペア”）に再設定する。これにより、受信器６０は、波高値が前の文字の値よりも減少している一般負荷電流を含む合成電流（ここでは、図８に示す区間（１３）以降の合成電流）に対しても、“信号電流あり”と判定することができる。したがって、この実施の形態は、受信エラーの発生頻度を低減することができ、もって、受信精度を向上させることができる。
【０１８１】
なお、上述の説明では新しい閾値を４アンペアとして説明したが、判定部７２ｂのパターン検出手段７３ａは、厳密には、新しい閾値を以下のように設定するようにするとよい。
【０１８２】
すなわち、判定部７２ｂのパターン検出手段７３ａは、電源が入れられてから最初に測定した検出電流の最大値（ここでは、図８に示す１Ｈｚ目の合成電流の電流値“４アンペア”）を一般負荷電流の最大値ａとして格納部７４の動作データ格納部７４ｂに格納する。また、パターン検出手段７３ａは、下限閾値ｃ＝（ａ−ｂ×０.２）＝（４−２×０.２）＝３.６アンペアを算出して、下限閾値ｃを格納部７４（具体的には、動作データ格納部７４ｂ）に格納する。また、パターン検出手段７３ａは、上限閾値ｅ＝（ａ＋ｂ×０.８）＝（４＋２×０.８）＝５．６アンペアを算出して、上限閾値ｅを格納部７４の動作データ格納部７４ｂに格納する。さらに、パターン検出手段７３ａは、最初の１文字分の合成電流の波形に対しては、これら、値を“３．６アンペア”とする下限閾値ｃ及び値を“５．６アンペア”とする上限閾値ｅを用いて、一般負荷電流の成分のみからなる合成電流の区間と一般負荷電流及び信号電流の双方の成分からなる合成電流の区間とを区分する。
【０１８３】
ここで、文字と文字との間の区間で、一般負荷電流の最大値が減少して、一般負荷電流のみの成分からなる合成電流の最大値が下限閾値ｃである３．６アンペア以下となったとする。例えば、図８に示すように、区間１１及び区間１２で、一般負荷電流のみの成分からなる合成電流の最大値が３アンペアになったとする。この場合に、判定部７２ｂのパターン検出手段７３ａは、下限閾値ｃを再計算して新たな値（具体的には、ｃ＝（３−２×０.２）＝２.６アンペア）を格納部７４の動作データ格納部７４ｂに格納する。同様に、パターン検出手段７３ａは、上限閾値ｅも再計算して新たな値（具体的には、ｅ＝（３＋２×０.８）＝４．６アンペア）を格納部７４の動作データ格納部７４ｂに格納する。パターン検出手段７３ａは、次の１文字分の合成電流の波形に対しては、これら、値を“２．６アンペア”とする下限閾値ｃ及び値を“４．６アンペア”とする上限閾値ｅを用いて、一般負荷電流の成分のみからなる合成電流の区間と一般負荷電流及び信号電流の双方の成分からなる合成電流の区間とを区分する。
【０１８４】
なお、ここで、文字と文字との間の区間で、一般負荷電流の最大値が増大して、一般負荷電流のみの成分からなる合成電流の最大値が上限閾値ｅである５．６アンペア以上となったとする。例えば、区間１１及び区間１２で、一般負荷電流のみの成分からなる合成電流の最大値が６アンペアになったとする。この場合に、判定部７２ｂのパターン検出手段７３ａは、下限閾値ｃを再計算して新たな値（具体的には、ｃ＝（６−２×０.２）＝５．６アンペア）を格納部７４の動作データ格納部７４ｂに格納する。同様に、パターン検出手段７３ａは、上限閾値ｅも再計算して新たな値（具体的には、ｅ＝（６＋２×０.８）＝７．６アンペア）を格納部７４の動作データ格納部７４ｂに格納する。パターン検出手段７３ａは、次の１文字分の合成電流の波形に対しては、これら、値を“５．６アンペア”とする下限閾値ｃ及び値を“７．６アンペア”とする上限閾値ｅを用いて、一般負荷電流の成分のみからなる合成電流の区間と一般負荷電流及び信号電流の双方の成分からなる合成電流の区間とを区分する。
【０１８５】
（実施の形態の配線経路点検システムの使用例）
以下に、図９、図１０、及び図１１を参照して、実施の形態に係る電源配線点検システムの使用方法につき説明する。なお、図９は、受信器６０のディスプレイ６６の表示の一例を示す図である。また、図１０及び図１１は、それぞれ、実施の形態のシステムの使用例を示す図である。
【０１８６】
図９に示すように、受信器６０は、電源配線Ｗｉを流れる合成電流の検出電流から既に説明したようにしてコードを取得して、ディスプレイ制御部７２ｃによってそのコードと点検信号の受信回数とをディスプレイ６６に表示する。以下、その具体例につき説明する。
【０１８７】
例えば、図９に示す例では、受信器６０は、１回目に検出電流から点検信号を検出した場合に、１行目に、１回目の点検信号の受信回数として数字“１”と１回目の点検信号に対応するコードとして“１０１”を表示している。また、受信器６０は、２回目に点検信号を検出した場合に、１行目に、１回目の点検信号の受信回数である“１”と１回目の点検信号に対応するコードである“１０１”を表示し、２行目に、２回目の点検信号の受信回数として数字“２”と２回目の点検信号に対応するコードとして“１０２”を表示している。また、受信器６０は、３回目に点検信号を受信した場合に、１行目に、１回目の点検信号の受信回数である“１”と１回目の点検信号に対応するコードである“１０１”を表示し、２行目に、３回目の点検信号の受信回数として数字“３”と３回目の点検信号に対応するコードとして“１０３”を表示している。
【０１８８】
操作者は、受信器６０のディスプレイ６６のこのような表示を確認することにより、図１０または図１１に示す、電源配線Ｗｉの配線間違いを点検することができる。
【０１８９】
図１０は、配線間違いが存在する場合の例を示している。すなわち、図１０は、１０１号室用電力量計Ｗｈ１０１が１０２号室用の電源配線Ｗｉに接続され、かつ、１０２号室用電力量計Ｗｈ１０２が１０１号室用の電源配線Ｗｉに間違って配線されている場合の例を示している。このような間違いに対しては、操作者が発信器１０及び受信器６０を以下のように使用することにより、検出することができる。
【０１９０】
操作者は、まず、受信器６０ａを１０１号室用電力量計Ｗｈ１０１の電源配線Ｗｉに取り付けて受信待ちの状態に設定し、同様に、受信器６０ｂを１０２号室用電力量計Ｗｈ１０２の電源配線Ｗｉに取り付けて受信待ちの状態に設定する。
【０１９１】
次に、操作者は、１０１号室のコンセントＣＮに発信器１０を接続して、発信器１０の入力キー１４を操作して、例えば部屋番号である「１０１」を入力する。これにより、発信器１０が、コードとして「・・１０１」を出力する。このとき、１０２号室用電力量計Ｗｈ１０２の電源配線Ｗｉに取り付けられた受信器６０ｂには、電源配線Ｗｉから、「・・１０１」というコードを表す信号成分を含む合成電流が入力される。したがって、受信器６０ｂのディスプレイ６６は、１行目に、１回目の点検信号の受信回数である“１”と１回目の点検信号に対応するコードである“１０１”を表示する。なお、１０１号室用電力量計Ｗｈ１０１の電源配線Ｗｉに取り付けられた受信器６０ａには、信号成分を含む合成電流が入力されない。そのため、受信器６０ａのディスプレイ６６は、何も表示しない。
【０１９２】
次に、操作者は、１０２号室のコンセントＣＮに発信器１０を接続して、発信器１０の入力キー１４を操作して、例えば部屋番号である「１０２」を入力する。これにより、発信器１０が、コードとして「・・１０２」を出力する。このとき、１０１号室用電力量計Ｗｈ１０１の電源配線Ｗｉに取り付けられた受信器６０ａには、電源配線Ｗｉから、「・・１０２」というコードを表す信号成分を含む合成電流が入力される。したがって、受信器６０ａのディスプレイ６６は、１行目に、１回目の点検信号の受信回数である“１”と１回目の点検信号に対応するコードである“１０２”を表示する。なお、１０２号室用電力量計Ｗｈ１０２の電源配線Ｗｉに取り付けられた受信器６０ｂには、信号成分を含む合成電流が入力されない。そのため、受信器６０ｂのディスプレイ６６は、１回目の点検信号の受信回数である“１”と１回目の点検信号に対応するコードである“１０１”を表示したままとなる。
【０１９３】
次に、操作者は、各電力量計Ｗｈ１０１及びＷｈ１０２に取り付けられた受信器６０ａ及び６０ｂのディスプレイ６６の表示を確認する。図１０に示す例では、受信器６０ａ及び６０ｂのディスプレイ６６に表示されたコードすなわち部屋番号が異なる。したがって、操作者は、配線間違い（ここでは、配線の取り違え）が存在していることを検出することができる。
【０１９４】
図１１は、重複計量が存在する場合の例を示している。すなわち、図１１は、１０２号室用電力量計Ｗｈ１０２の電源側の電源配線Ｗｉが１０１号室用電力量計Ｗｈ１０１の負荷側の電源配線Ｗｉに間違って接続されている場合の例を示している。このような間違いに対しては、操作者が発信器１０及び受信器６０を以下のように使用することにより、検出することができる。
【０１９５】
操作者は、まず、受信器６０ａを１０１号室用電力量計Ｗｈ１０１の電源配線Ｗｉに取り付けて受信待ちの状態に設定し、同様に、受信器６０ｂを１０２号室用電力量計Ｗｈ１０２の電源配線Ｗｉに取り付けて受信待ちの状態に設定する。
【０１９６】
次に、操作者は、１０１号室のコンセントＣＮに発信器１０を接続して、発信器１０の入力キー１４を操作して、例えば部屋番号である「１０１」を入力する。これにより、発信器１０が、コードとして「・・１０１」を出力する。このとき、１０１号室用電力量計Ｗｈ１０１の電源配線Ｗｉに取り付けられた受信器６０ａには、電源配線Ｗｉから、「・・１０１」というコードを表す信号成分を含む合成電流が入力される。したがって、受信器６０ａのディスプレイ６６は、１行目に、１回目の点検信号の受信回数である“１”と１回目の点検信号に対応するコードである“１０１”を表示する。なお、１０２号室用電力量計Ｗｈ１０２の電源配線Ｗｉに取り付けられた受信器６０ｂには、信号成分を含む合成電流が入力されない。そのため、受信器６０ｂのディスプレイ６６は、何も表示しない。
【０１９７】
次に、操作者は、１０２号室のコンセントＣＮに発信器１０を接続して、発信器１０の入力キー１４を操作して、例えば部屋番号である「１０２」を入力する。これにより、発信器１０が、コードとして「・・１０２」を出力する。このとき、１０１号室用電力量計Ｗｈ１０１の電源配線Ｗｉに取り付けられた受信器６０ａと１０２号室用電力量計Ｗｈ１０２の電源配線Ｗｉに取り付けられた受信器６０ｂには、電源配線Ｗｉから、「・・１０２」というコードを表す信号成分を含む合成電流が入力される。したがって、受信器６０ａのディスプレイ６６は、１行目に、１回目の点検信号の受信回数である“１”と１回目の点検信号に対応するコードである“１０１”を表示し、２行目に、２回目の点検信号の受信回数である“２”と２回目の点検信号に対応するコードである“１０２”を表示する。一方、受信器６０ｂのディスプレイ６６は、１行目に、１回目の点検信号の受信回数である“１”と１回目の点検信号に対応するコードである“１０２”を表示する。
【０１９８】
次に、操作者は、各電力量計Ｗｈ１０１及びＷｈ１０２に取り付けられた受信器６０ａ及び６０ｂのディスプレイ６６の表示を確認する。図１１に示す例では、受信器６０ａのディスプレイ６６は、複数のコードすなわち部屋番号を表示している。したがって、操作者は、配線間違い（ここでは、配線の重複接続）が存在していることを検出することができる。
【０１９９】
この発明は、上述の実施の形態に限定されることなく、この発明の要旨を逸脱しない範囲で種々の変更や変形を行うことができる。
【０２００】
例えば、受信器６０は、好ましくは、予め定められた回数（例えば、６回）だけ連続して受信することができ、かつ、ディスプレイ６６に適宜表示することができる構成にするとよい。例えば、受信器６０のディスプレイ６６は、１行目に１回目に受信したコードを表示し、２行目に２回目以降に受信したコードを表示する。そして、操作者が途中の受信回数のコードを確認したい場合に、受信器６０の入力キー６４が操作（例えば、送りボタンが押下）されることにより、受信器６０のディスプレイ６６が、２行目に２回目から最後までに受信されたコードを繰り返し表示するものとする。そして、受信器６０のディスプレイ６６は、最後に受信されたコードが表示された後に、送りボタンが押下されることにより、例えば「Ｄａｔａ＿Ｅｎｄ」等のデータの終了を表示するものとする。さらに、受信器６０のディスプレイ６６は、データの終了が表示された後に、送りボタンが押下されることにより、最初の状態、すなわち、１行目に１回目に受信したコードを表示し、２行目に２回目以降に受信したコードを表示するものとする。また、受信器６０のディスプレイ６６は、受信器６０の電源スイッチ６２が切断されることで、表示されている受信回数と受信回数に対応するコードが消去されるものとする。
【０２０１】
また、受信器６０の検出コード格納部７４ｃに格納されたデータすなわち受信回数に対応するコードは、好ましくは、例えばパーソナルコンピュータ等の図示せぬ外部装置を入出力部７８に接続することにより、外部装置に出力することができるようにするとよい。
【０２０２】
なお、この実施の形態に係る受信器の点検信号検出部は、好ましくは、文字と文字との間に、予め定められたＨｚ（例えば、２Ｈｚ）だけ、閾値変更のための信号電流が存在しない区間を設けるとよい。これにより、この実施の形態に係る配線経路点検システムは、文字単位に閾値を変更して、一般負荷電流の変化に伴う受信エラーを少なくすることができる。そのため、この実施の形態に係る配線経路点検システムによれば、さらに、信号電流の受信精度を高めることができる。
【図面の簡単な説明】
【０２０３】
【図１】実施の形態のシステムのブロック図である。
【図２】実施の形態のシステムの電源配線への取り付け説明図である。
【図３】点検信号の一例を示す図である。
【図４】（Ａ）及び（Ｂ）は、それぞれ、文字と単位電流の波形の出現パターンとの対応を示す図である。
【図５】電流の波形を示す図である。
【図６】実施の形態のシステムの動作フローチャートである。
【図７】閾値の説明図（１）である。
【図８】閾値の説明図（２）である。
【図９】受信器のディスプレイの表示の一例を示す図である。
【図１０】実施の形態のシステムの使用例を示す図（１）である。
【図１１】実施の形態のシステムの使用例を示す図（２）である。
【図１２】（Ａ）及び（Ｂ）は、それぞれ、結線誤りの説明図である。
【図１３】配線誤りの説明図である。
【図１４】（Ａ）及び（Ｂ）は、それぞれ、配線経路点検システムの構成を示す図である。
【図１５】一文字の点検信号の電流波形の一例を示す図である。
【図１６】コードの点検信号とタイミング波形の一例を示す図である。
【図１７】（Ａ）及び（Ｂ）は、それぞれ、変流器の構成を示す図（１）である。
【図１８】変流器の構成を示す図（２）である。
【図１９】（Ａ）及び（Ｂ）は、それぞれ、結線誤りの有無を判定する場合の使用例を示す図である。
【図２０】配線誤りの有無を判定する場合の使用例を示す図（１）である。
【図２１】配線誤りの有無を判定する場合の使用例を示す図（２）である。
【符号の説明】
【０２０４】
１    …配線経路点検システム
１０    …発信器
１４    …入力キー
１６    …ディスプレイ（ＬＣＤ）
２０    …点検信号生成部
２２    …演算部（ＣＰＵ）
２２ａ    …主制御部
２２ｂ    …スイッチ回路制御部
２２ｃ    …ディスプレイ制御部
２４    …格納部（ＲＡＭ）
２４ａ    …参照データ格納部
２４ｂ    …動作データ格納部
２４ｃ    …入力コード格納部
２６    …直流電源部
Ｒ    …ダミー負荷
ＳＷ    …スイッチ（トライアック）
６０    …受信器
６４    …入力キー
６６    …ディスプレイ（ＬＣＤ）
７０    …点検信号検出部
７２    …演算部（ＣＰＵ）
７２ａ    …主制御部
７２ｂ    …判定部
７２ｃ    …ディスプレイ制御部
７４    …格納部（ＲＡＭ）
７４ａ    …参照データ格納部
７４ｂ    …動作データ格納部
７４ｃ    …検出コード格納部
７６    …直流電源部
７８    …入出力部
ＣＬ１，ＣＬ２，ＣＬ３    …電圧端子クリップ（接続端子）
ＣＴ１，ＣＴ３    …変流器（接続端子）
ＣＮ    …コンセント
Ｅ    …商用電源
Ｗｈ    …電力量計
Ｗｉ    …電源配線
【図１】
2010002243.tif 000007
【図２】
2010002243.tif 000008
【図３】
2010002243.tif 000009
【図４】
2010002243.tif 000010
【図５】
2010002243.tif 000011
【図６】
2010002243.tif 000012
【図７】
2010002243.tif 000013
【図８】
2010002243.tif 000014
【図９】
2010002243.tif 000015
【図１０】
2010002243.tif 000016
【図１１】
2010002243.tif 000017
【図１２】
2010002243.tif 000018
【図１３】
2010002243.tif 000019
【図１４】
2010002243.tif 000020
【図１５】
2010002243.tif 000021
【図１６】
2010002243.tif 000022
【図１７】
2010002243.tif 000023
【図１８】
2010002243.tif 000024
【図１９】
2010002243.tif 000025
【図２０】
2010002243.tif 000026
【図２１】
2010002243.tif 000027